(57)【要約】  基地局装置と通信する端末装置であって、オフセットの値に基づいて、物理上りリンク共用チャネルで送信されるチャネル状態情報に対する変調シンボル数を決定する決定部と、前記物理上りリンク共用チャネルで前記チャネル状態情報を前記基地局装置へ送信する送信部と、を備え、前記オフセットの値は、２つのサブフレームセットが上位層によって設定された場合に、前記物理上りリンク共用チャネルでの送信が行われるサブフレームが属するサブフレームセットに基づいて決定される。これにより、チャネル状態情報が用いられる無線通信システムにおいて、効率的に通信することができる。
2015008830.tif 000002
【特許請求の範囲】
【請求項１】
基地局装置と通信する端末装置であって、
オフセットの値に基づいて、物理上りリンク共用チャネルで送信されるチャネル状態情報に対する変調シンボル数を決定する決定部と、
前記物理上りリンク共用チャネルで前記チャネル状態情報を前記基地局装置へ送信する送信部と、を備え、
前記オフセットの値は、２つのサブフレームセットが上位層によって設定された場合に、前記物理上りリンク共用チャネルでの送信が行われるサブフレームが属するサブフレームセットに基づいて決定される
端末装置。
【請求項２】
基地局装置と通信する端末装置であって、
第１のサブフレームセットと第２のサブフレームセットを設定する設定部と、
オフセットの値に基づいて、物理上りリンク共用チャネルで送信されるチャネル状態情報に対する変調シンボル数を決定する決定部と、
前記物理上りリンク共用チャネルで前記チャネル状態情報を前記基地局装置へ送信する送信部と、を備え、
前記決定部は、
前記オフセットの値として第１の値を設定し、
前記物理上りリンク共用チャネルでの送信が行われるサブフレームが前記第２のサブフレームセットに属する場合には、前記オフセットの値として、前記第１の値の代わりに第２の値を設定する
端末装置。
【請求項３】
前記第１の値および前記第２の値のそれぞれは、上位層の信号に基づいて設定される
請求項２に記載の端末装置。
【請求項４】
前記チャネル状態情報は、ＣＱＩおよびＰＭＩである
請求項１から請求項３のいずれかに記載の端末装置。
【請求項５】
前記チャネル状態情報は、ＲＩである
請求項１から請求項３のいずれかに記載の端末装置。
【請求項６】
端末装置と通信する基地局装置であって、
オフセットの値に基づいて、物理上りリンク共用チャネルで受信されるチャネル状態情報に対する変調シンボル数を算出する算出部と、
前記物理上りリンク共用チャネルで前記チャネル状態情報を前記端末装置から受信する受信部と、を備え、
前記オフセットの値は、２つのサブフレームセットを上位層において設定している場合に、前記物理上りリンク共用チャネルでの受信が行われるサブフレームが属するサブフレームセットに基づく
基地局装置。
【請求項７】
端末装置と通信する基地局装置であって、
第１のサブフレームセットと第２のサブフレームセットを設定する設定部と、
オフセットの値に基づいて、物理上りリンク共用チャネルで受信されるチャネル状態情報に対する変調シンボル数を算出する算出部と、
前記物理上りリンク共用チャネルで前記チャネル状態情報を前記端末装置から受信する受信部と、を備え、
前記算出部は、
前記オフセットの値として第１の値を設定し、
前記物理上りリンク共用チャネルでの受信が行われるサブフレームが前記第２のサブフレームセットに属する場合には、前記オフセットの値として、前記第１の値の代わりに第２の値を設定する
基地局装置。
【請求項８】
前記第１の値および前記第２の値のそれぞれは、上位層の信号に基づいて設定される
請求項７に記載の基地局装置。
【請求項９】
前記チャネル状態情報は、ＣＱＩおよびＰＭＩである
請求項６から請求項８のいずれかに記載の基地局装置。
【請求項１０】
前記チャネル状態情報は、ＲＩである
請求項６から請求項８のいずれかに記載の基地局装置。
【請求項１１】
基地局装置と通信する端末装置に実装される集積回路であって、
オフセットの値に基づいて、物理上りリンク共用チャネルで送信されるチャネル状態情報に対する変調シンボル数を決定する機能と、
前記物理上りリンク共用チャネルで前記チャネル状態情報を前記基地局装置へ送信する機能と、を含む一連の機能を前記端末装置に発揮させ、
前記オフセットの値は、２つのサブフレームセットが上位層によって設定された場合に、前記物理上りリンク共用チャネルでの送信が行われるサブフレームが属するサブフレームセットに基づいて決定される
集積回路。
【請求項１２】
基地局装置と通信する端末装置に実装される集積回路であって、
第１のサブフレームセットと第２のサブフレームセットを設定する機能と、
オフセットの値に基づいて、物理上りリンク共用チャネルで送信されるチャネル状態情報に対する変調シンボル数を決定する機能と、
前記物理上りリンク共用チャネルで前記チャネル状態情報を前記基地局装置へ送信する機能と、を含む一連の機能を前記端末装置に発揮させ、
前記オフセットの値として第１の値を設定し、
前記物理上りリンク共用チャネルでの送信が行われるサブフレームが前記第２のサブフレームセットに属する場合には、前記オフセットの値として、前記第１の値の代わりに第２の値を設定する
集積回路。
【請求項１３】
端末装置と通信する基地局装置に実装される集積回路であって、
オフセットの値に基づいて、物理上りリンク共用チャネルで受信されるチャネル状態情報に対する変調シンボル数を算出する機能と、
前記物理上りリンク共用チャネルで前記チャネル状態情報を前記端末装置から受信する機能と、を含む一連の機能を前記基地局装置に発揮させ、
前記オフセットの値は、２つのサブフレームセットを上位層において設定している場合に、前記物理上りリンク共用チャネルでの受信が行われるサブフレームが属するサブフレームセットに基づく
集積回路。
【請求項１４】
端末装置と通信する基地局装置に実装される集積回路であって、
第１のサブフレームセットと第２のサブフレームセットを設定する機能と、
オフセットの値に基づいて、物理上りリンク共用チャネルで受信されるチャネル状態情報に対する変調シンボル数を算出する機能と、
前記物理上りリンク共用チャネルで前記チャネル状態情報を前記端末装置から受信する機能と、を含む一連の機能を前記基地局装置に発揮させ、
前記オフセットの値として第１の値を設定し、
前記物理上りリンク共用チャネルでの受信が行われるサブフレームが前記第２のサブフレームセットに属する場合には、前記オフセットの値として、前記第１の値の代わりに第２の値を設定する
集積回路。
【請求項１５】
基地局装置と通信する端末装置に用いられる無線通信方法であって、
オフセットの値に基づいて、物理上りリンク共用チャネルで送信されるチャネル状態情報に対する変調シンボル数を決定し、
前記物理上りリンク共用チャネルで前記チャネル状態情報を前記基地局装置へ送信し、
前記オフセットの値は、２つのサブフレームセットが上位層によって設定された場合に、前記物理上りリンク共用チャネルでの送信が行われるサブフレームが属するサブフレームセットに基づいて決定される
無線通信方法。
【請求項１６】
基地局装置と通信する端末装置に用いられる無線通信方法であって、
第１のサブフレームセットと第２のサブフレームセットを設定し、
オフセットの値に基づいて、物理上りリンク共用チャネルで送信されるチャネル状態情報に対する変調シンボル数を決定し、
前記物理上りリンク共用チャネルで前記チャネル状態情報を前記基地局装置へ送信し、
前記オフセットの値として第１の値を設定し、
前記物理上りリンク共用チャネルでの送信が行われるサブフレームが前記第２のサブフレームセットに属する場合には、前記オフセットの値として、前記第１の値の代わりに第２の値を設定する
無線通信方法。
【請求項１７】
端末装置と通信する基地局装置に用いられる無線通信方法であって、
オフセットの値に基づいて、物理上りリンク共用チャネルで受信されるチャネル状態情報に対する変調シンボル数を算出し、
前記物理上りリンク共用チャネルで前記チャネル状態情報を前記端末装置から受信し、
前記オフセットの値は、２つのサブフレームセットを上位層において設定している場合に、前記物理上りリンク共用チャネルでの受信が行われるサブフレームが属するサブフレームセットに基づく
無線通信方法。
【請求項１８】
端末装置と通信する基地局装置に用いられる無線通信方法であって、
第１のサブフレームセットと第２のサブフレームセットを設定し、
オフセットの値に基づいて、物理上りリンク共用チャネルで受信されるチャネル状態情報に対する変調シンボル数を算出し、
前記物理上りリンク共用チャネルで前記チャネル状態情報を前記端末装置から受信し、
前記オフセットの値として第１の値を設定し、
前記物理上りリンク共用チャネルでの受信が行われるサブフレームが前記第２のサブフレームセットに属する場合には、前記オフセットの値として、前記第１の値の代わりに第２の値を設定する
無線通信方法。
【発明の詳細な説明】
【技術分野】
【０００１】
本発明は、端末装置、基地局装置、集積回路、および無線通信方法に関する。
本願は、２０１３年７月１９日に、日本に出願された特願２０１３−１５０１０１号に基づき優先権を主張し、その内容をここに援用する。
【背景技術】
【０００２】
セルラー移動通信の無線アクセス方式および無線ネットワーク（以下、ＬＴＥ（Long Term Evolution）」、または、ＥＵＴＲＡ（Evolved Universal Terrestrial Radio Access）と称する。）が、第三世代パートナーシッププロジェクト（3rd Generation Partnership Project: 3GPP）において検討されている。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラー通信システムである。単一の基地局装置は複数のセルを管理してもよい。【０００３】
ＬＴＥは、時分割複信（ＴＤＤ：Time Division Duplex）に対応している。ＴＤＤ方式を採用したＬＴＥをＴＤ−ＬＴＥまたはＬＴＥ  ＴＤＤとも称する。ＴＤＤは、上りリンク信号と下りリンク信号を時分割多重することによって、単一の周波数帯域において全二重通信（full duplex communication）を可能にする技術である。【０００４】
３ＧＰＰにおいて、トラフィックアダプテーション技術と干渉軽減技術（ＩＭＴＡ：Interference Management and Traffic Adaptation）をＴＤ−ＬＴＥに適用することが検討されている。トラフィックアダプテーション技術は、上りリンクのトラフィックと下りリンクのトラフィックに応じて、上りリンクリソースと下りリンクリソースの比率を変更する技術である。該トラフィックアダプテーション技術をダイナミックＴＤＤとも称する。【０００５】
非特許文献１において、フレキシブルサブフレーム（flexible subframe）を用いる方法が、トラフィックアダプテーションを実現する方法として提示されている。基地局装置は、フレキシブルサブフレームにおいて、上りリンク信号の受信または下りリンク信号の送信を行なうことができる。非特許文献１において、端末装置は、基地局装置によって、フレキシブルサブフレームにおいて上りリンク信号の送信を指示されない限り、該フレキシブルサブフレームを下りリンクサブフレームとみなす。【０００６】
非特許文献１には、新たに導入する上りリンク−下りリンク設定（uplink-downlink configuration）に基づいてＰＤＳＣＨ（Physical Downlink Shared Channel）に対するＨＡＲＱ（Hybrid Automatic Repeat reQuest）タイミングを決定し、最初のUL-DL configurationに基づいてＰＵＳＣＨ（Physical Uplink Shared Channel）に対するＨＡＲＱタイミングを決定することが記載されている。【０００７】
非特許文献２には、（ａ）UL/DL Reference Configurationを導入すること、（ｂ）いくつかのサブフレームはスケジューラからのダイナミック・グラント／アサインメントによって上りリンク、または下りリンクの何れかのためにスケジュールされ得ることが記載されている。【０００８】
非特許文献３のセクション７．２には、チャネル状態情報（ＣＳＩ：Channel State Information）の報告のための端末装置の手順が記載されている。基地局装置は、複数の端末装置から報告されたチャネル状態情報に基づいて、端末装置に下りリンクのリソースを割り当てる。チャネル状態情報は、チャネル品質指標（ＣＱＩ：channel Quality Indicator）を含む。
【先行技術文献】
【非特許文献】
【０００９】
【非特許文献１】"On standardization impact of TDD UL-DL adaptation", R1-122016, Ericsson, ST-Ericsson, 3GPP TSG-RAN WG1 Meeting #69, Prague, Czech Republic, 21st - 25th May 2012.
【非特許文献２】"Signalling support for dynamic TDD", R1-130558, Ericsson, ST-Ericsson, 3GPP TSG-RAN WG1 Meeting #72, St Julian’s, Malta, 28th January - 1st February 2013.
【非特許文献３】"3GPP TS36.213 v11.2.0 (2013-02)", February, 2013.
【発明の概要】
【発明が解決しようとする課題】
【００１０】
しかしながら、上記の無線通信システムにおいて、チャネル状態情報に関する技術は十分検討されていない。本発明の一態様は上記の点に鑑みてなされたものであり、その目的は、チャネル状態情報が用いられる無線通信システムにおいて、効率的に通信することができる端末装置、基地局装置、集積回路、および無線通信方法を提供することである。
【課題を解決するための手段】
【００１１】
（１）上記の目的を達成するために、本発明の一態様は、以下のような手段を講じた。すなわち、本発明の一態様における端末装置は、基地局装置と通信する端末装置であって、オフセットの値に基づいて、物理上りリンク共用チャネルで送信されるチャネル状態情報に対する変調シンボル数を決定する決定部と、上記物理上りリンク共用チャネルで上記チャネル状態情報を上記基地局装置へ送信する送信部と、を備え、上記オフセットの値は、２つのサブフレームセットが上位層によって設定された場合に、上記物理上りリンク共用チャネルでの送信が行われるサブフレームが属するサブフレームセットに基づいて決定される。【００１２】
（２）また、本発明の一態様における端末装置は、基地局装置と通信する端末装置であって、第１のサブフレームセットと第２のサブフレームセットを設定する設定部と、オフセットの値に基づいて、物理上りリンク共用チャネルで送信されるチャネル状態情報に対する変調シンボル数を決定する決定部と、上記物理上りリンク共用チャネルで上記チャネル状態情報を上記基地局装置へ送信する送信部と、を備え、上記決定部は、上記オフセットの値として第１の値を設定し、上記物理上りリンク共用チャネルでの送信が行われるサブフレームが上記第２のサブフレームセットに属する場合には、上記オフセットの値として、上記第１の値の代わりに第２の値を設定する。【００１３】
（３）また、本発明の一態様において、上記の端末装置における上記第１の値および上記第２の値のそれぞれは、上位層の信号に基づいて設定される。【００１４】
（４）また、本発明の一態様において、上記の端末装置における上記チャネル状態情報は、ＣＱＩおよびＰＭＩである。【００１５】
（５）また、本発明の一態様において、上記の端末装置における上記チャネル状態情報は、ＲＩである。【００１６】
（６）また、本発明の一態様における基地局装置は、端末装置と通信する基地局装置であって、オフセットの値に基づいて、物理上りリンク共用チャネルで受信されるチャネル状態情報に対する変調シンボル数を算出する算出部と、上記物理上りリンク共用チャネルで上記チャネル状態情報を上記端末装置から受信する受信部と、を備え、上記オフセットの値は、２つのサブフレームセットを上位層において設定している場合に、上記物理上りリンク共用チャネルでの受信が行われるサブフレームが属するサブフレームセットに基づく。【００１７】
（７）また、本発明の一態様における基地局装置は、端末装置と通信する基地局装置であって、第１のサブフレームセットと第２のサブフレームセットを設定する設定部と、オフセットの値に基づいて、物理上りリンク共用チャネルで受信されるチャネル状態情報に対する変調シンボル数を算出する算出部と、上記物理上りリンク共用チャネルで上記チャネル状態情報を上記端末装置から受信する受信部と、を備え、上記算出部は、上記オフセットの値として第１の値を設定し、上記物理上りリンク共用チャネルでの受信が行われるサブフレームが上記第２のサブフレームセットに属する場合には、上記オフセットの値として、上記第１の値の代わりに第２の値を設定する。【００１８】
（８）また、本発明の一態様において、上記の基地局装置における上記第１の値および上記第２の値のそれぞれは、上位層の信号に基づいて設定される。【００１９】
（９）また、本発明の一態様において、上記の基地局装置における上記チャネル状態情報は、ＣＱＩおよびＰＭＩである。【００２０】
（１０）また、本発明の一態様において、上記の基地局装置における上記チャネル状態情報は、ＲＩである。【００２１】
（１１）また、本発明の一態様における集積回路は、基地局装置と通信する端末装置に実装される集積回路であって、オフセットの値に基づいて、物理上りリンク共用チャネルで送信されるチャネル状態情報に対する変調シンボル数を決定する機能と、上記物理上りリンク共用チャネルで上記チャネル状態情報を上記基地局装置へ送信する機能と、を含む一連の機能を上記端末装置に発揮させ、上記オフセットの値は、２つのサブフレームセットが上位層によって設定された場合に、上記物理上りリンク共用チャネルでの送信が行われるサブフレームが属するサブフレームセットに基づいて決定される。【００２２】
（１２）また、本発明の一態様における集積回路は、基地局装置と通信する端末装置に実装される集積回路であって、第１のサブフレームセットと第２のサブフレームセットを設定する機能と、オフセットの値に基づいて、物理上りリンク共用チャネルで送信されるチャネル状態情報に対する変調シンボル数を決定する機能と、上記物理上りリンク共用チャネルで上記チャネル状態情報を上記基地局装置へ送信する機能と、を含む一連の機能を上記端末装置に発揮させ、上記オフセットの値として第１の値を設定し、上記物理上りリンク共用チャネルでの送信が行われるサブフレームが上記第２のサブフレームセットに属する場合には、上記オフセットの値として、上記第１の値の代わりに第２の値を設定する。【００２３】
（１３）また、本発明の一態様における集積回路は、端末装置と通信する基地局装置に実装される集積回路であって、オフセットの値に基づいて、物理上りリンク共用チャネルで受信されるチャネル状態情報に対する変調シンボル数を算出する機能と、上記物理上りリンク共用チャネルで上記チャネル状態情報を上記端末装置から受信する機能と、を含む一連の機能を上記基地局装置に発揮させ、上記オフセットの値は、２つのサブフレームセットを上位層において設定している場合に、上記物理上りリンク共用チャネルでの受信が行われるサブフレームが属するサブフレームセットに基づく。【００２４】
（１４）また、本発明の一態様における集積回路は、端末装置と通信する基地局装置に実装される集積回路であって、第１のサブフレームセットと第２のサブフレームセットを設定する機能と、オフセットの値に基づいて、物理上りリンク共用チャネルで受信されるチャネル状態情報に対する変調シンボル数を算出する機能と、上記物理上りリンク共用チャネルで上記チャネル状態情報を上記端末装置から受信する機能と、を含む一連の機能を上記基地局装置に発揮させ、上記オフセットの値として第１の値を設定し、上記物理上りリンク共用チャネルでの受信が行われるサブフレームが上記第２のサブフレームセットに属する場合には、上記オフセットの値として、上記第１の値の代わりに第２の値を設定する。【００２５】
（１５）また、本発明の一態様における無線通信方法は、基地局装置と通信する端末装置に用いられる無線通信方法であって、オフセットの値に基づいて、物理上りリンク共用チャネルで送信されるチャネル状態情報に対する変調シンボル数を決定し、上記物理上りリンク共用チャネルで上記チャネル状態情報を上記基地局装置へ送信し、上記オフセットの値は、２つのサブフレームセットが上位層によって設定された場合に、上記物理上りリンク共用チャネルでの送信が行われるサブフレームが属するサブフレームセットに基づいて決定される。【００２６】
（１６）また、本発明の一態様における無線通信方法は、基地局装置と通信する端末装置に用いられる無線通信方法であって、第１のサブフレームセットと第２のサブフレームセットを設定し、オフセットの値に基づいて、物理上りリンク共用チャネルで送信されるチャネル状態情報に対する変調シンボル数を決定し、上記物理上りリンク共用チャネルで上記チャネル状態情報を上記基地局装置へ送信し、上記オフセットの値として第１の値を設定し、上記物理上りリンク共用チャネルでの送信が行われるサブフレームが上記第２のサブフレームセットに属する場合には、上記オフセットの値として、上記第１の値の代わりに第２の値を設定する。【００２７】
（１７）また、本発明の一態様における無線通信方法は、端末装置と通信する基地局装置に用いられる無線通信方法であって、オフセットの値に基づいて、物理上りリンク共用チャネルで受信されるチャネル状態情報に対する変調シンボル数を算出し、上記物理上りリンク共用チャネルで上記チャネル状態情報を上記端末装置から受信し、上記オフセットの値は、２つのサブフレームセットを上位層において設定している場合に、上記物理上りリンク共用チャネルでの受信が行われるサブフレームが属するサブフレームセットに基づく。【００２８】
（１８）また、本発明の一態様における無線通信方法は、端末装置と通信する基地局装置に用いられる無線通信方法であって、第１のサブフレームセットと第２のサブフレームセットを設定し、オフセットの値に基づいて、物理上りリンク共用チャネルで受信されるチャネル状態情報に対する変調シンボル数を算出し、上記物理上りリンク共用チャネルで上記チャネル状態情報を上記端末装置から受信し、上記オフセットの値として第１の値を設定し、上記物理上りリンク共用チャネルでの受信が行われるサブフレームが上記第２のサブフレームセットに属する場合には、上記オフセットの値として、上記第１の値の代わりに第２の値を設定する。
【発明の効果】
【００２９】
この発明の一態様によれば、チャネル状態情報が用いられる無線通信システムにおいて、端末装置と基地局装置とが効率的に通信することができる。
【図面の簡単な説明】
【００３０】
【図１】本実施形態の無線通信システムの概念図である。
【図２】本実施形態の無線フレームの概略構成を示す図である。
【図３】本実施形態のスロットの構成を示す図である。
【図４】本実施形態の下りリンクサブフレームにおける物理チャネルおよび物理信号の配置の一例を示す図である。
【図５】本実施形態の上りリンクサブフレームにおける物理チャネルおよび物理信号の配置の一例を示す図である。
【図６】本実施形態のスペシャルサブフレームにおける物理チャネルおよび物理信号の配置の一例を示す図である。
【図７】本実施形態における上りリンク−下りリンク設定の一例を示す表である。
【図８】本実施形態における上りリンク参照ＵＬ−ＤＬ設定および下りリンク参照ＵＬ−ＤＬ設定のセッティング方法を示すフロー図である。
【図９】本実施形態における上りリンク参照ＵＬ−ＤＬ設定によって指示されるサブフレームと下りリンク参照ＵＬ−ＤＬ設定によって指示されるサブフレームの関係を示す図である。
【図１０】本実施形態における上りリンク参照ＵＬ−ＤＬ設定によって指示されるサブフレームと下りリンク参照ＵＬ−ＤＬ設定によって指示されるサブフレームと送信方向ＵＬ−ＤＬ設定によって指示されるサブフレームの関係を示す図である。
【図１１】本実施形態における上りリンク参照ＵＬ−ＤＬ設定と下りリンク参照ＵＬ−ＤＬ設定と送信方向ＵＬ−ＤＬ設定の関係を示す図である。
【図１２】本実施形態におけるＰＤＣＣＨ／ＥＰＤＣＣＨ／ＰＨＩＣＨが配置されるサブフレームｎと前記ＰＤＣＣＨ／ＥＰＤＣＣＨ／ＰＨＩＣＨが対応するＰＵＳＣＨが配置されるサブフレームｎ＋ｋとの対応を示す図である。
【図１３】本実施形態におけるＰＨＩＣＨが配置されるサブフレームｎと前記ＰＨＩＣＨが対応するＰＵＳＣＨが配置されるサブフレームｎ−ｋとの対応を示す図である。
【図１４】本実施形態におけるＰＵＳＣＨが配置されるサブフレームｎと前記ＰＵＳＣＨが対応するＰＨＩＣＨが配置されるサブフレームｎ＋ｋとの対応を示す図である。
【図１５】本実施形態におけるＰＤＳＣＨが配置されるサブフレームｎ−ｋと前記ＰＤＳＣＨが対応するＨＡＲＱ−ＡＣＫが送信されるサブフレームｎとの対応を示す図である。
【図１６】本実施形態におけるＣＱＩインデックスに対応する変調方式と符号化率を示す表である。
【図１７】本実施形態におけるＣＳＩリクエストフィールドの値と対応するオフセットの一例を示す図である。
【図１８】本実施形態におけるＣＳＩリクエストフィールドの値と対応するトリガーされるアピリオディックＣＳＩおよびオフセットの一例を示す図である。
【図１９】本実施形態の端末装置１の構成を示す概略ブロック図である。
【図２０】本実施形態の符号化部１０７１の構成を示す概略ブロック図である。
【図２１】本実施形態の基地局装置３の構成を示す概略ブロック図である。
【図２２】本実施形態の復号部３０５１の構成を示す概略ブロック図である。
【発明を実施するための形態】
【００３１】
以下、本発明の実施形態について説明する。
【００３２】
本実施形態では、端末装置は、複数のセルが設定される。端末装置が複数のセルを介して通信する技術をセルアグリゲーション、またはキャリアアグリゲーションと称する。端末装置に対して設定される複数のセルのそれぞれにおいて、本発明が適用されてもよい。また、設定された複数のセルの一部において、本発明が適用されてもよい。端末装置に設定されるセルを、サービングセルとも称する。
【００３３】
設定された複数のサービングセルは、１つのプライマリーセルと１つまたは複数のセカンダリーセルとを含む。プライマリーセルは、初期コネクション構築（initial connection establishment）プロシージャが行なわれたサービングセル、コネクション再構築（connection re-establishment）プロシージャを開始したサービングセル、または、ハンドオーバプロシージャにおいてプライマリーセルと指示されたセルである。ＲＲＣコネクションが構築された時点、または、後に、セカンダリーセルが設定されてもよい。
【００３４】
本実施形態の無線通信システムは、時分割複信（ＴＤＤ：Time Division Duplex）方式が適用される。セルアグリゲーションの場合には、複数のセルの全てに対してＴＤＤ方式が適用されてもよい。また、セルアグリゲーションの場合には、ＴＤＤ方式が適用されるセルと周波数複信（ＦＤＤ：Frequency Division Duplex）方式が適用されるセルが集約されてもよい。ＴＤＤが適用されるセルとＦＤＤが適用されるセルとが集約される場合に、ＴＤＤが適用されるセルに対して本発明を適用することができる。
【００３５】
端末装置は、端末装置によってキャリアアグリゲーションがサポートされているバンドの組合せを示す情報を、基地局装置に送信する。端末装置は、バンドの組合せのそれぞれに対して、異なる複数のバンドにおける前記複数のサービングセルにおける同時送信および受信をサポートしているかどうかを指示する情報を、基地局装置に送信する。
【００３６】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００３７】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１という。
【００３８】
本実施形態の物理チャネルおよび物理信号について説明する。
【００３９】
図１において、端末装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００４０】
ＰＵＣＣＨは、上りリンク制御情報（ＵＣＩ：Uplink Control Information）を送信するために用いられる物理チャネルである。上りリンク制御情報は、下りリンクのチャネル状態情報（ＣＳＩ：Channel State Information）、ＰＵＳＣＨリソースの要求を示すスケジューリング要求（ＳＲ：Scheduling Request）、下りリンクデータ（ＴＢ：Transport block, ＤＬ−ＳＣＨ：Downlink - Shared Channel）に対する肯定応答（ＡＣＫ：acknowledgement）／否定応答（ＮＡＣＫ：Negative ACK）を含む。ＡＣＫ／ＮＡＣＫを、ＨＡＲＱ−ＡＣＫ、ＨＡＲＱフィードバック、または、応答情報とも称する。
【００４１】
ＰＵＳＣＨは、上りリンクデータ（ＵＬ−ＳＣＨ：Uplink-Shared Channel）を送信するために用いられる物理チャネルである。また、ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫおよびチャネル状態情報のみを送信するために用いられてもよい。
【００４２】
ＰＲＡＣＨは、ランダムアクセスプリアンブルを送信するために用いられる物理チャネルである。ＰＲＡＣＨは、端末装置１が基地局装置３と時間領域の同期をとることを主な目的とする。その他に、ＰＲＡＣＨは、初期コネクション構築（initial connection establishment）プロシージャ、ハンドオーバプロシージャ、コネクション再構築（connection re-establishment）プロシージャ、上りリンク送信に対する同期（タイミング調整）、およびＰＵＳＣＨリソースの要求を示すためにも用いられる。
【００４３】
図１において、上りリンクの無線通信では、以下の上りリンク物理信号が用いられる。上りリンク物理信号は、上位層から出力された情報を送信するために使用されないが、物理層によって使用される。
・上りリンク参照信号（ＵＬ  ＲＳ：Uplink Reference Signal）
【００４４】
本実施形態において、以下の２つのタイプの上りリンク参照信号が用いられる。
・ＤＭＲＳ（Demodulation Reference Signal）
・ＳＲＳ（Sounding Reference Signal）
【００４５】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００４６】
ＳＲＳは、ＰＵＳＣＨまたはＰＵＣＣＨの送信に関連しない。基地局装置３は、上りリンクのチャネル状態を測定するためにＳＲＳを使用する。
【００４７】
図１において、基地局装置３から端末装置１への下りリンクの無線通信では、以下の下りリンク物理チャネルが用いられる。下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００４８】
ＰＢＣＨは、端末装置１で共通に用いられるマスターインフォメーションブロック（Master Information Block: MIB, Broadcast Channel: BCH）を報知するために用いられる。ＭＩＢは、４０ms間隔で送信され、ＭＩＢは１０ｍｓ周期で繰り返し送信される。具体的には、SFN mod 4 = 0を満たす無線フレームにおけるサブフレーム０においてＭＩＢの初期送信が行なわれ、他の全ての無線フレームにおけるサブフレーム０においてＭＩＢの再送信（repetition）が行なわれる。ＳＦＮ（system frame number）は無線フレームの番号である。ＭＩＢはシステム情報である。例えば、ＭＩＢは、ＳＦＮを示す情報を含む。
【００４９】
ＰＣＦＩＣＨは、ＰＤＣＣＨの送信に用いられる領域（ＯＦＤＭシンボル）を指示する情報を送信するために用いられる。
【００５０】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。例えば、端末装置１がＡＣＫを示すＨＡＲＱインディケータを受信した場合は、対応する上りリンクデータを再送しない。例えば、端末装置１がＮＡＣＫを示すＨＡＲＱインディケータを受信した場合は、対応する上りリンクデータを再送する。単一のＰＨＩＣＨは、単一の上りリンクデータに対するＨＡＲＱインディケータを送信する。基地局装置３は、同一のＰＵＳＣＨに含まれる複数の上りリンクデータに対するＨＡＲＱインディケータのそれぞれを複数のＰＨＩＣＨを用いて送信する。
【００５１】
ＰＤＣＣＨおよびＥＰＤＣＣＨは、下りリンク制御情報（Downlink Control Information: DCI）を送信するために用いられる。下りリンク制御情報を、ＤＣＩフォーマットとも称する。下りリンク制御情報は、下りリンクグラント（downlink grant）および上りリンクグラント（uplink grant）を含む。下りリンクグラントは、下りリンクアサインメント（downlink assignment）または下りリンク割り当て（downlink allocation）とも称する。
【００５２】
下りリンクグラントは、単一のセル内の単一のＰＤＳＣＨのスケジューリングに用いられる。下りリンクグラントは、該下りリンクグラントが送信されたサブフレームと同じサブフレーム内のＰＤＳＣＨのスケジューリングに用いられる。上りリンクグラントは、単一のセル内の単一のＰＵＳＣＨのスケジューリングに用いられる。上りリンクグラントは、該上りリンクグラントが送信されたサブフレームより４つ以上後のサブフレーム内の単一のＰＵＳＣＨのスケジューリングに用いられる。
【００５３】
ＤＣＩフォーマットには、ＣＲＣ（Cyclic Redundancy Check）パリティビットが付加される。ＣＲＣパリティビットは、Ｃ−ＲＮＴＩ（Cell-Radio Network Temporary Identifier）、または、ＳＰＳ  Ｃ−ＲＮＴＩ（Semi Persistent Scheduling Cell-Radio Network Temporary Identifier）でスクランブルされる。Ｃ−ＲＮＴＩおよびＳＰＳ  Ｃ−ＲＮＴＩは、セル内において端末装置を識別するための識別子である。
【００５４】
Ｃ−ＲＮＴＩは、単一のサブフレームにおけるＰＤＳＣＨまたはＰＵＳＣＨを制御するために用いられる。ＳＰＳ  Ｃ−ＲＮＴＩは、ＰＤＳＣＨまたはＰＵＳＣＨのリソースを周期的に割り当てるために用いられる。
【００５５】
ＰＤＳＣＨは、下りリンクデータ（Downlink Shared Channel: DL-SCH）を送信するために用いられる。
【００５６】
ＰＭＣＨは、マルチキャストデータ（Multicast Channel: MCH）を送信するために用いられる。
【００５７】
図１において、下りリンクの無線通信では、以下の下りリンク物理信号が用いられる。下りリンク物理信号は、上位層から出力された情報を送信するために使用されないが、物理層によって使用される。
・同期信号（Synchronization signal: SS）
・下りリンク参照信号（Downlink Reference Signal: DL RS）
【００５８】
同期信号は、端末装置１が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００５９】
下りリンク参照信号は、端末装置１が下りリンク物理チャネルの伝搬路補正を行なうために用いられる。下りリンク参照信号は、端末装置１が下りリンクのチャネル状態情報を算出するために用いられる。下りリンク参照信号は、端末装置１が自装置の地理的な位置を測定するために用いられる。
【００６０】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
【００６１】
ＣＲＳは、サブフレームの全帯域で送信される。ＣＲＳは、ＰＢＣＨ／ＰＤＣＣＨ／ＰＨＩＣＨ／ＰＣＦＩＣＨ／ＰＤＳＣＨの復調を行なうために用いられる。ＣＲＳは、端末装置１が下りリンクのチャネル状態情報を算出するために用いられてもよい。ＰＢＣＨ／ＰＤＣＣＨ／ＰＨＩＣＨ／ＰＣＦＩＣＨは、ＣＲＳの送信に用いられるアンテナポートで送信される。
【００６２】
ＰＤＳＣＨに関連するＵＲＳは、ＵＲＳが関連するＰＤＳＣＨの送信に用いられるサブフレームおよび帯域で送信される。ＵＲＳは、ＵＲＳが関連するＰＤＳＣＨの復調を行なうために用いられる。
【００６３】
ＰＤＳＣＨは、ＣＲＳまたはＵＲＳの送信に用いられるアンテナポートで送信される。ＤＣＩフォーマット１Ａは、ＣＲＳの送信に用いられるアンテナポートで送信されるＰＤＳＣＨのスケジューリングに用いられる。ＤＣＩフォーマット２Ｄは、ＵＲＳの送信に用いられるアンテナポートで送信されるＰＤＳＣＨのスケジューリングに用いられる。
【００６４】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。ＥＰＤＣＣＨは、ＤＭＲＳの送信に用いられるアンテナポートで送信される。
【００６５】
ＮＺＰ  ＣＳＩ−ＲＳは、設定されたサブフレームで送信される。ＮＺＰ  ＣＳＩ−ＲＳが送信されるリソースは、基地局装置が設定する。ＮＺＰ  ＣＳＩ−ＲＳは、端末装置１が下りリンクのチャネル状態情報を算出するために用いられる。端末装置１は、ＮＺＰ  ＣＳＩ−ＲＳを用いて信号測定（チャネル測定）を行なう。
【００６６】
ＺＰ  ＣＳＩ−ＲＳのリソースは、基地局装置３が設定する。基地局装置３は、ＺＰ  ＣＳＩ−ＲＳをゼロ出力で送信する。つまり、基地局装置３は、ＺＰ  ＣＳＩ−ＲＳを送信しない。基地局装置３は、ＺＰ  ＣＳＩ−ＲＳの設定したリソースにおいて、ＰＤＳＣＨおよびＥＰＤＣＣＨを送信しない。例えば、あるセルにおいてＮＺＰ  ＣＳＩ−ＲＳが対応するリソースにおいて、端末装置１は、干渉を測定することができる。
【００６７】
ＭＢＳＦＮ  ＲＳは、ＰＭＣＨの送信に用いられるサブフレームの全帯域で送信される。ＭＢＳＦＮ  ＲＳは、ＰＭＣＨの復調を行なうために用いられる。ＰＭＣＨは、ＭＢＳＦＮ  ＲＳの送信用いられるアンテナポートで送信される。
【００６８】
ＰＲＳは、端末装置が、自装置の地理的な位置を測定するために用いられる。
【００６９】
下りリンク物理チャネルおよび下りリンク物理信号を総称して、下りリンク信号と称する。上りリンク物理チャネルおよび上りリンク物理信号を総称して、上りリンク信号と称する。下りリンク物理チャネルおよび上りリンク物理チャネルを総称して、物理チャネルと称する。下りリンク物理信号および上りリンク物理信号を総称して、物理信号と称する。
【００７０】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００７１】
以下、本実施形態の無線フレーム（radio frame）の構成について説明する。
【００７２】
図２は、本実施形態の無線フレームの概略構成を示す図である。無線フレームのそれぞれは、１０ｍｓ長である。図２において、横軸は時間軸である。また、無線フレームのそれぞれは２つのハーフフレームから構成される。ハーフフレームのそれぞれは、５ｍｓ長である。ハーフフレームのそれぞれは、５のサブフレームから構成される。サブフレームのそれぞれは、１ｍｓ長であり、２つの連続するスロットによって定義される。スロットのそれぞれは、０．５ｍｓ長である。無線フレーム内のｉ番目のサブフレームは、（２×ｉ）番目のスロットと（２×ｉ＋１）番目のスロットとから構成される。つまり、１０ｍｓ間隔のそれぞれにおいて、１０個のサブフレームが利用できる。
【００７３】
本実施形態では、以下の３つのタイプのサブフレームを定義する。
・下りリンクサブフレーム（第１のサブフレーム）
・上りリンクサブフレーム（第２のサブフレーム）
・スペシャルサブフレーム（第３のサブフレーム）
【００７４】
下りリンクサブフレームは下りリンク送信のためにリザーブされるサブフレームである。上りリンクサブフレームは上りリンク送信のためにリザーブされるサブフレームである。スペシャルサブフレームは３つのフィールドから構成される。該３つのフィールドは、ＤｗＰＴＳ（Downlink Pilot Time Slot）、ＧＰ（Guard Period）、およびＵｐＰＴＳ（Uplink Pilot Time Slot）である。ＤｗＰＴＳ、ＧＰ、およびＵｐＰＴＳの合計の長さは１ｍｓである。ＤｗＰＴＳは下りリンク送信のためにリザーブされるフィールドである。ＵｐＰＴＳは上りリンク送信のためにリザーブされるフィールドである。ＧＰは下りリンク送信および上りリンク送信が行なわれないフィールドである。尚、スペシャルサブフレームは、ＤｗＰＴＳおよびＧＰのみによって構成されてもよいし、ＧＰおよびＵｐＰＴＳのみによって構成されてもよい。
【００７５】
単一の無線フレームは、少なくとも下りリンクサブフレーム、上りリンクサブフレーム、およびスペシャルサブフレームから構成される。
【００７６】
本実施形態の無線通信システムは、５ｍｓと１０ｍｓの下りリンク‐上りリンク・スイッチポイント周期（downlink-to-uplink switch-point periodicity）をサポートする。下りリンク‐上りリンク・スイッチポイント周期が５ｍｓの場合には、無線フレーム内の両方のハーフフレームにスペシャルサブフレームが含まれる。下りリンク‐上りリンク・スイッチポイント周期が１０ｍｓの場合には、無線フレーム内の最初のハーフフレームのみにスペシャルサブフレームが含まれる。
【００７７】
以下、本実施形態のスロットの構成について説明する。
【００７８】
図３は、本実施形態のスロットの構成を示す図である。本実施形態では、ＯＦＤＭシンボルに対してノーマルＣＰ（Cyclic Prefix）が適用される。尚、ＯＦＤＭシンボルに対して拡張ＣＰが適用されてもよい。スロットのそれぞれにおいて送信される物理信号または物理チャネルは、リソースグリッドによって表現される。図３において、横軸は時間軸であり、縦軸は周波数軸である。下りリンクにおいて、リソースグリッドは複数のサブキャリアと複数のＯＦＤＭシンボルによって定義される。上りリンクにおいて、リソースグリッドは複数のサブキャリアと複数のＳＣ−ＦＤＭＡシンボルによって定義される。１つのスロットを構成するサブキャリアの数は、セルの帯域幅に依存する。１つのスロットを構成するＯＦＤＭシンボルまたはＳＣ−ＦＤＭＡシンボルの数は７である。リソースグリッド内のエレメントのそれぞれをリソースエレメントと称する。リソースエレメントは、サブキャリアの番号とＯＦＤＭシンボルまたはＳＣ−ＦＤＭＡシンボルの番号とを用いて識別する。
【００７９】
リソースブロックは、ある物理チャネル（ＰＤＳＣＨまたはＰＵＳＣＨなど）のリソースエレメントへのマッピングを表現するために用いられる。リソースブロックは、仮想リソースブロックと物理リソースブロックが定義される。ある物理チャネルは、まず仮想リソースブロックにマップされる。その後、仮想リソースブロックは、物理リソースブロックにマップされる。１つの物理リソースブロックは、時間領域において７個の連続するＯＦＤＭシンボルまたはＳＣ−ＦＤＭＡシンボルと周波数領域において１２個の連続するサブキャリアとから定義される。ゆえに、１つの物理リソースブロックは（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号が付けられる。
【００８０】
以下、サブフレームのそれぞれにおいて送信される物理チャネルおよび物理信号について説明する。
【００８１】
図４は、本実施形態の下りリンクサブフレームにおける物理チャネルおよび物理信号の配置の一例を示す図である。図４において、横軸は時間軸であり、縦軸は周波数軸である。基地局装置３は、下りリンクサブフレームにおいて、下りリンク物理チャネル（ＰＢＣＨ、ＰＣＦＩＣＨ、ＰＨＩＣＨ、ＰＤＣＣＨ、ＥＰＤＣＣＨ、ＰＤＳＣＨ）、および下りリンク物理信号（同期信号、下りリンク参照信号）を送信してもよい。尚、ＰＢＣＨは無線フレーム内のサブフレーム０のみで送信される。尚、下りリンク参照信号は周波数領域および時間領域において分散するリソースエレメントに配置される。説明の簡略化のため図４において下りリンク参照信号は図示しない。
【００８２】
ＰＤＣＣＨ領域において、複数のＰＤＣＣＨが周波数および時間多重されてもよい。ＥＰＤＣＣＨ領域において、複数のＥＰＤＣＣＨが周波数、時間、および空間多重されてもよい。ＰＤＳＣＨ領域において、複数のＰＤＳＣＨが周波数および空間多重されてもよい。ＰＤＣＣＨとＰＤＳＣＨまたはＥＰＤＣＣＨは時間多重されてもよい。ＰＤＳＣＨとＥＰＤＣＣＨは周波数多重されてもよい。
【００８３】
図５は、本実施形態の上りリンクサブフレームにおける物理チャネルおよび物理信号の配置の一例を示す図である。図５において、横軸は時間軸であり、縦軸は周波数軸である。端末装置１は、上りリンクサブフレームにおいて、上りリンク物理チャネル（ＰＵＣＣＨ、ＰＵＳＣＨ、ＰＲＡＣＨ）、および上りリンク物理信号（ＤＭＲＳ、ＳＲＳ）を送信してもよい。ＰＵＣＣＨ領域において、複数のＰＵＣＣＨが周波数、時間、および符合多重される。ＰＵＳＣＨ領域において、複数のＰＵＳＣＨが周波数および空間多重されてもよい。ＰＵＣＣＨとＰＵＳＣＨは周波数多重されてもよい。ＰＲＡＣＨは単一のサブフレームまたは２つのサブフレームにわたって配置されてもよい。また、複数のＰＲＡＣＨが符号多重されてもよい。
【００８４】
ＳＲＳは上りリンクサブフレーム内の最後のＳＣ−ＦＤＭＡシンボルを用いて送信される。つまり、ＳＲＳは上りリンクサブフレーム内の最後のＳＣ−ＦＤＭＡシンボルに配置される。端末装置１は、単一のセルの単一のＳＣ−ＦＤＭＡシンボルにおいて、ＳＲＳとＰＵＣＣＨ／ＰＵＳＣＨ／ＰＲＡＣＨを同時に送信することはできない。端末装置１は、単一のセルの単一の上りリンクサブフレームにおいて、該上りリンクサブフレーム内の最後のＳＣ−ＦＤＭＡシンボルを除くＳＣ−ＦＤＭＡシンボルを用いてＰＵＳＣＨおよび／またはＰＵＣＣＨを送信し、該上りリンクサブフレーム内の最後のＳＣ−ＦＤＭＡシンボルを用いてＳＲＳを送信することができる。つまり、単一のセルの単一の上りリンクサブフレームにおいて、端末装置１は、ＳＲＳとＰＵＳＣＨ／ＰＵＣＣＨの両方を送信することができる。尚、ＤＭＲＳはＰＵＣＣＨまたはＰＵＳＣＨと時間多重される。説明の簡略化のため図５においてＤＭＲＳは図示しない。
【００８５】
図６は、本実施形態のスペシャルサブフレームにおける物理チャネルおよび物理信号の配置の一例を示す図である。図６において、横軸は時間軸であり、縦軸は周波数軸である。図６において、ＤｗＰＴＳはスペシャルサブフレーム内の１番目から１０番目のＳＣ−ＦＤＭＡシンボルから構成され、ＧＰはスペシャルサブフレーム内の１１番目と１２番目のＳＣ−ＦＤＭＡシンボルから構成され、ＵｐＰＴＳはスペシャルサブフレーム内の１３番目と１４番目のＳＣ−ＦＤＭＡシンボルから構成される。
【００８６】
基地局装置３は、スペシャルサブフレームのＤｗＰＴＳにおいて、ＰＣＦＩＣＨ、ＰＨＩＣＨ、ＰＤＣＣＨ、ＥＰＤＣＣＨ、ＰＤＳＣＨ、同期信号、および、下りリンク参照信号を送信してもよい。基地局装置３は、スペシャルサブフレームのＤｗＰＴＳにおいて、ＰＢＣＨを送信しない。端末装置１は、スペシャルサブフレームのＵｐＰＴＳにおいて、ＰＲＡＣＨ、およびＳＲＳを送信してもよい。つまり、端末装置１は、スペシャルサブフレームのＵｐＰＴＳにおいて、ＰＵＣＣＨ、ＰＵＳＣＨ、およびＤＭＲＳを送信しない。
【００８７】
以下、上りリンク参照ＵＬ−ＤＬ設定（uplink reference uplink-downlink configuration）、下りリンク参照ＵＬ−ＤＬ設定（downlink reference uplink-downlink configuration）、および、送信方向ＵＬ−ＤＬ設定（transmission direction uplink-downlink configuration）について説明する。
【００８８】
上りリンク参照ＵＬ−ＤＬ設定、下りリンク参照ＵＬ−ＤＬ設定、および、送信方向ＵＬ−ＤＬ設定は、上りリンク−下りリンク設定（uplink - downlink configuration, UL - DL configuration）によって定義される。
【００８９】
上りリンク−下りリンク設定は、無線フレーム内におけるサブフレームのパターンに関する設定である。上りリンク−下りリンク設定は、無線フレーム内におけるサブフレームのそれぞれが、下りリンクサブフレーム、上りリンクサブフレーム、および、スペシャルサブフレームの何れであるかを示す。
【００９０】
つまり、上りリンク参照ＵＬ−ＤＬ設定、下りリンク参照ＵＬ−ＤＬ設定、および、送信方向ＵＬ−ＤＬ設定は、無線フレーム内における下りリンクサブフレーム、上りリンクサブフレーム、および、スペシャルサブフレームのパターンによって定義される。
【００９１】
下りリンクサブフレーム、上りリンクサブフレーム、および、スペシャルサブフレームのパターンとは、サブフレーム＃０から＃９のそれぞれが、下りリンクサブフレーム、上りリンクサブフレーム、および、スペシャルサブフレームのいずれであるかを示すものであり、好ましくは、ＤとＵとＳ（それぞれ下りリンクサブフレーム、上りリンクサブフレーム、および、スペシャルサブフレームを示す）の長さ１０となる任意の組み合わせで表現される。より好ましくは、先頭（つまりサブフレーム＃０）がＤで、２番目（つまりサブフレーム＃１）がＳである。
【００９２】
図７は、本実施形態における上りリンク−下りリンク設定の一例を示す表である。図７において、Ｄは下りリンクサブフレームを示し、Ｕは上りリンクサブフレームを示し、Ｓはスペシャルサブフレームを示す。
【００９３】
図７において、無線フレーム内のサブフレーム１は、常にスペシャルサブフレームである。図７において、サブフレーム０と５は常に下りリンク送信のためにリザーブされ、サブフレーム２は常に上りリンク送信のためにリザーブされる。
【００９４】
図７において、下りリンク−上りリンク・スイッチポイント周期が５ｍｓの場合に、無線フレーム内のサブフレーム６はスペシャルサブフレームであり、下りリンク−上りリンク・スイッチポイント周期が１０ｍｓの場合に、無線フレーム内のサブフレーム６は下りリンクサブフレームである。
【００９５】
上りリンク参照ＵＬ−ＤＬ設定を第１のパラメータ、第１の設定、または、サービングセル上りリンク−下りリンク設定とも称する。下りリンク参照ＵＬ−ＤＬ設定を第２のパラメータ、または、第２の設定とも称する。送信方向ＵＬ−ＤＬ設定を第３のパラメータまたは第３の設定とも称する。
【００９６】
上りリンク参照ＵＬ−ＤＬ設定として上りリンク−下りリンク設定ｉがセットされることを、上りリンク参照ＵＬ−ＤＬ設定ｉがセットされると称する。下りリンク参照ＵＬ−ＤＬ設定として上りリンク−下りリンク設定ｉがセットされることを、下りリンク参照ＵＬ−ＤＬ設定ｉがセットされると称する。送信方向ＵＬ−ＤＬ設定として上りリンク−下りリンク設定ｉがセットされることを、送信方向ＵＬ−ＤＬ設定ｉがセットされると称する。
【００９７】
以下、上りリンク参照ＵＬ−ＤＬ設定、下りリンク参照ＵＬ−ＤＬ設定、および、送信方向ＵＬ−ＤＬ設定にセッティング方法ついて説明する。
【００９８】
基地局装置３は、上りリンク参照ＵＬ−ＤＬ設定、下りリンク参照ＵＬ−ＤＬ設定、および、送信方向ＵＬ−ＤＬ設定をセットする。基地局装置３は、上りリンク参照ＵＬ−ＤＬ設定を示す第１の情報（TDD-Config）、下りリンク参照ＵＬ−ＤＬ設定を示す第２の情報、および、送信方向ＵＬ−ＤＬ設定を示す第３の情報を、ＭＩＢ、システムインフォメーションブロックタイプ１メッセージ、システムインフォメーションメッセージ、ＲＲＣメッセージ、ＭＡＣ  ＣＥ（Control Element）、および、物理層の制御情報（例えば、ＤＣＩフォーマット）の少なくとも１つに含めて送信してもよい。また、基地局装置３は、状況に応じて、第１の情報、第２の情報、および、第３の情報を、ＭＩＢ、システムインフォメーションブロックタイプ１メッセージ、システムインフォメーションメッセージ、ＲＲＣメッセージ、ＭＡＣ  ＣＥ（Control Element）、および、物理層の制御情報（例えば、ＤＣＩフォーマット）の何れかに含めてもよい。
【００９９】
複数のサービングセルのそれぞれに対して、上りリンク参照ＵＬ−ＤＬ設定、下りリンク参照ＵＬ−ＤＬ設定、および、送信方向ＵＬ−ＤＬ設定が定義されてもよい。
【０１００】
基地局装置３は、サービングセルのそれぞれに対する、第１の情報、第２の情報、および、第３の情報を、複数のサービングセルが設定された端末装置１に送信する。尚、サービングセルのそれぞれに対して、第１の情報、第２の情報、および、第３の情報が定義されてもよい。
【０１０１】
基地局装置３は、１つのプライマリーセルおよび１つのセカンダリーセルから構成される２つのサービングセルが設定された端末装置１に対して、プライマリーセルに対する第１の情報、プライマリーセルに対する第２の情報、プライマリーセルに対する第３の情報、セカンダリーセルに対する第１の情報、セカンダリーセルに対する第２の情報、および、セカンダリーセルに対する第３の情報を送信してもよい。
【０１０２】
複数のサービングセルが設定された端末装置１は、サービングセルのそれぞれに対して、第１の情報、第２の情報、および、第３の情報に基づいて、上りリンク参照ＵＬ−ＤＬ設定、下りリンク参照ＵＬ−ＤＬ設定、および、送信方向ＤＬ−ＵＬ設定をセットしてもよい。
【０１０３】
１つのプライマリーセルおよび１つのセカンダリーセルから構成される２つのサービングセルが設定された端末装置１は、プライマリーセルに対する上りリンク参照ＵＬ−ＤＬ設定、プライマリーセルに対する下りリンク参照ＵＬ−ＤＬ設定、プライマリーセルに対する送信方向ＤＬ−ＵＬ設定、セカンダリーセルに対する上りリンク参照ＵＬ−ＤＬ設定、セカンダリーセルに対する下りリンク参照ＵＬ−ＤＬ設定、セカンダリーセルに対する送信方向ＤＬ−ＵＬ設定をセットしてもよい。
【０１０４】
プライマリーセルに対する第１の情報は、システムインフォメーションブロックタイプ１メッセージ、または、ＲＲＣメッセージに含まれることが好ましい。セカンダリーセルに対する第１の情報は、ＲＲＣメッセージに含まれることが好ましい。プライマリーセルに対する第２の情報は、システムインフォメーションブロックタイプ１メッセージ、システムインフォメーションメッセージ、または、ＲＲＣメッセージに含まれることが好ましい。セカンダリーセルに対する第２の情報は、ＲＲＣメッセージに含まれることが好ましい。第３の情報は、物理層の制御情報（例えば、ＤＣＩフォーマット）に含まれることが好ましい。
【０１０５】
第１の情報は、セル内の複数の端末装置１に対して共通であることが好ましい。第２の情報は、セル内の複数の端末装置１に対して共通であってもよいし、端末装置１に対して専用であってもよい。第３の情報は、セル内の複数の端末装置１に対して共通であってもよいし、端末装置１に対して専用であってもよい。
【０１０６】
システムインフォメーションブロックタイプ１メッセージは、SFN mod 8 = 0を満たす無線フレームのサブフレーム５においてＰＤＳＣＨを介して初期送信が行われ、SFN mod 2= 0を満たす他の無線フレームにおけるサブフレーム５において再送信（repetition）が行なわれる。システムインフォメーションブロックタイプ１メッセージは、スペシャルサブフレームの構成（ＤｗＰＴＳ、ＧＰ、およびＵｐＰＴＳの長さ）を示す情報を含む。システムインフォメーションブロックタイプ１メッセージは、セル固有の情報である。
【０１０７】
システムインフォメーションメッセージは、ＰＤＳＣＨを介して伝送される。システムインフォメーションメッセージは、セル固有の情報である。システムインフォメーションメッセージは、システムインフォメーションブロックタイプ１以外のシステムインフォメーションブロックＸを含む。
【０１０８】
ＲＲＣメッセージはＰＤＳＣＨを介して伝送される。ＲＲＣメッセージは、ＲＲＣ層において処理される情報／信号である。ＲＲＣメッセージは、セル内の複数の端末装置１に対して共通であってもよいし、特定の端末装置１に対して専用であってもよい。
【０１０９】
ＭＡＣ  ＣＥはＰＤＳＣＨを介して送信される。ＭＡＣ  ＣＥは、ＭＡＣ層において処理される情報／信号である。
【０１１０】
図８は、本実施形態における上りリンク参照ＵＬ−ＤＬ設定および下りリンク参照ＵＬ−ＤＬ設定のセッティング方法を示すフロー図である。端末装置１は、複数のサービングセルのそれぞれに対して、図８におけるセッティング方法を実行する。
【０１１１】
端末装置１は、あるサービングセルに対して、第１の情報に基づいて上りリンク参照ＵＬ−ＤＬ設定をセットする（Ｓ１０００）。端末装置１は、該あるサービングセルに対する第２の情報を受信しているかどうかを判断する（Ｓ１００２）。端末装置１は、該あるサービングセルに対する第２の情報を受信している場合は、該あるサービングセルに対して、該あるサービングセルに対する第２の情報に基づいて下りリンク参照ＵＬ−ＤＬ設定をセットする（Ｓ１００６）。端末装置１は、該あるサービングセルに対する第２の情報を受信していない場合は（else/otherwise）、該あるサービングセルに対して、該あるサービングセルに対する第１の情報に基づいて下りリンク参照ＵＬ−ＤＬ設定をセットする（Ｓ１００４）。
【０１１２】
第１の情報に基づいて上りリンク参照ＵＬ−ＤＬ設定および下りリンク参照ＵＬ−ＤＬ設定がセットされているサービングセルを、ダイナミックＴＤＤが設定されていないサービングセルとも称する。第２の情報に基づいて下りリンク参照ＵＬ−ＤＬ設定がセットされているサービングセルを、ダイナミックＴＤＤが設定されているサービングセルとも称する。
【０１１３】
端末装置１は、第２の情報を受信し、第２の情報に基づき上りリンクの信号の送信が可能なサブフレームを判断する。次に、端末装置１は、第３の情報を監視する。端末装置１は、第３の情報を受信した場合に、第３の情報に基づき上りリンクの信号の送信が可能なサブフレームを判断する。
【０１１４】
以下、上りリンク参照ＵＬ−ＤＬ設定について説明する。
【０１１５】
上りリンク参照ＵＬ−ＤＬ設定は、サービングセルにおいて、上りリンクの送信が可能または不可能なサブフレームを特定するために少なくとも用いられる。
【０１１６】
端末装置１は、上りリンク参照ＵＬ−ＤＬ設定によって下りリンクサブフレームとして指示されたサブフレームにおいて上りリンクの送信を行なわない。端末装置１は、上りリンク参照ＵＬ−ＤＬ設定によってスペシャルサブフレームとして指示されたサブフレームのＤｗＰＴＳおよびＧＰにおいて上りリンクの送信を行なわない。
【０１１７】
以下、下りリンク参照ＵＬ−ＤＬ設定について説明する。
【０１１８】
下りリンク参照ＵＬ−ＤＬ設定は、サービングセルにおいて、下りリンクの送信が可能または不可能なサブフレームを特定するために少なくとも用いられる。
【０１１９】
端末装置１は、下りリンク参照ＵＬ−ＤＬ設定によって上りリンクサブフレームとして指示されたサブフレームにおいて下りリンクの送信を行なわない。端末装置１は、下りリンク参照ＵＬ−ＤＬ設定によってスペシャルサブフレームとして指示されたサブフレームのＵｐＰＴＳおよびＧＰにおいて下りリンクの送信を行なわない。
【０１２０】
第１の情報に基づいて下りリンク参照ＵＬ−ＤＬ設定をセットしている端末装置１は、上りリンク参照ＵＬ−ＤＬ設定または下りリンク参照ＵＬ−ＤＬ設定によって指示された下りリンクサブフレームまたはスペシャルサブフレームのＤｗＰＴＳにおいて下りリンクの信号を用いた測定（例えば、チャネル状態情報に関する測定）を行なってもよい。
【０１２１】
基地局装置３は、上りリンク参照ＵＬ−ＤＬ設定に基づいて限定される設定セット（セットの設定）の中から下りリンク参照ＵＬ−ＤＬ設定を決定する。つまり、下りリンク参照ＵＬ−ＤＬ設定は、上りリンク参照ＵＬ−ＤＬ設定に基づいて限定される設定セットにおける要素である。上りリンク参照ＵＬ−ＤＬ設定に基づいて限定される設定セットは、図９の条件（ａ）から（ｃ）を満たす上りリンク−下りリンク設定を含む。図９は、本実施形態における上りリンク参照ＵＬ−ＤＬ設定によって指示されるサブフレームと下りリンク参照ＵＬ−ＤＬ設定によって指示されるサブフレームの関係を示す図である。図９において、Ｄは下りリンクサブフレームを示し、Ｕは上りリンクサブフレームを示し、Ｓはスペシャルサブフレームを示す。
【０１２２】
これにより、ダイナミックＴＤＤにおいて、上りリンク参照ＵＬ−ＤＬ設定によって下りリンクサブフレームと指示されたサブフレーム、および、スペシャルサブフレームのＤｗＰＴＳが上りリンクの送信のために利用されることはなくなるため、第１の情報に基づいて下りリンク参照ＵＬ−ＤＬ設定をセットしている端末装置１が下りリンクの信号を用いた測定を適切に行なうことができるようになる。
【０１２３】
尚、第２の情報に基づいて下りリンク参照ＵＬ−ＤＬ設定をセットしている端末装置１も、上りリンク参照ＵＬ−ＤＬ設定によって指示された下りリンクサブフレームまたはスペシャルサブフレームのＤｗＰＴＳにおいて下りリンクの信号を用いた測定（例えば、チャネル状態情報に関する測定）を行なってもよい。
【０１２４】
上りリンク参照ＵＬ−ＤＬ設定によって上りリンクサブフレームとして指示され、下りリンク参照ＵＬ−ＤＬ設定によって下りリンクサブフレームとして指示されたサブフレームを、第１のフレキシブルサブフレームとも称する。第１のフレキシブルサブフレームは、上りリンクおよび下りリンクの送信のためにリザーブされるサブフレームである。
【０１２５】
上りリンク参照ＵＬ−ＤＬ設定によってスペシャルサブフレームとして指示され、下りリンク参照ＵＬ−ＤＬ設定によって下りリンクサブフレームとして指示されたサブフレームを、第２のフレキシブルサブフレームとも称する。第２のフレキシブルサブフレームは、下りリンクの送信のためにリザーブされるサブフレームである。第２のフレキシブルサブフレームは、ＤｗＰＴＳにおける下りリンクの送信およびＵｐＰＴＳにおける上りリンクの送信のためにリザーブされるサブフレームである。
【０１２６】
以下、送信方向ＵＬ−ＤＬ設定について詳細に説明する。
【０１２７】
端末装置１および基地局装置３は、サブフレームにおける送信の方向（上り／下り）に関する送信方向ＵＬ−ＤＬ設定をセットする。送信方向ＵＬ−ＤＬ設定は、サブフレームにおける送信の方向を決定するために用いられる。
【０１２８】
端末装置１は、スケジューリング情報（ＤＣＩフォーマットおよび／またはＨＡＲＱ−ＡＣＫ）、および、送信方向ＵＬ−ＤＬ設定に基づいて、第１のフレキシブルサブフレームおよび第２のフレキシブルサブフレームにおける送信を制御する。
【０１２９】
基地局装置３は、送信方向ＵＬ−ＤＬ設定を示す第３の情報を、端末装置１に送信する。第３の情報は上りリンク送信が可能なサブフレームを指示する情報である。第３の情報は下りリンク送信が可能なサブフレームを指示する情報である。第３の情報はＵｐＰＴＳにおける上りリンク送信およびＤｗＰＴＳにおける下りリンク送信が可能なサブフレームを指示する情報である。
【０１３０】
例えば、送信方向ＵＬ−ＤＬ設定は、上りリンク参照ＵＬ−ＤＬ設定によって上りリンクサブフレームとして指示され、下りリンク参照ＵＬ−ＤＬ設定によって下りリンクサブフレームとして指示されたサブフレーム、および／または、上りリンク参照ＵＬ−ＤＬ設定によってスペシャルサブフレームとして指示され、下りリンク参照ＵＬ−ＤＬ設定によって下りリンクサブフレームとして指示されたサブフレームにおける、送信の方向を特定するために用いられる。つまり、送信方向ＵＬ−ＤＬ設定は、上りリンク参照ＵＬ−ＤＬ設定と下りリンク参照ＵＬ−ＤＬ設定とで異なるサブフレームとして指示されているサブフレームにおける、送信の方向を特定するために用いられる。
【０１３１】
図１０は、本実施形態における上りリンク参照ＵＬ−ＤＬ設定によって指示されるサブフレームと下りリンク参照ＵＬ−ＤＬ設定によって指示されるサブフレームと送信方向ＵＬ−ＤＬ設定によって指示されるサブフレームの関係を示す図である。図１０において、Ｄは下りリンクサブフレームを示し、Ｕは上りリンクサブフレームを示し、Ｓはスペシャルサブフレームを示す。
【０１３２】
基地局装置３は、上りリンク参照ＵＬ−ＤＬ設定および下りリンク参照ＵＬ−ＤＬ設定に基づいて限定される設定セット（セットの設定）の中から送信方向ＵＬ−ＤＬ設定を決定する。つまり、送信方向ＵＬ−ＤＬ設定は、上りリンク参照ＵＬ−ＤＬ設定および下りリンク参照ＵＬ−ＤＬ設定に基づいて限定される設定セットにおける要素である。上りリンク参照ＵＬ−ＤＬ設定および下りリンク参照ＵＬ−ＤＬ設定に基づいて限定される設定セットは、図１０の条件（ｄ）から（ｈ）を満たす上りリンク−下りリンク設定を含む。
【０１３３】
基地局装置３は、送信方向ＵＬ−ＤＬ設定によって下りリンクサブフレームとして指示されたサブフレームにおいて、下りリンクの送信のスケジューリングを行なってもよい。
【０１３４】
端末装置１は、送信方向ＵＬ−ＤＬ設定によって下りリンクサブフレームとして指示されたサブフレームにおいて、下りリンク信号の受信処理を行ってもよい。端末装置１は、送信方向ＵＬ−ＤＬ設定によって下りリンクサブフレームとして指示されたサブフレームにおいて、ＰＤＣＣＨ／ＥＰＤＣＣＨのモニタを行なってもよい。端末装置１は、ＰＤＣＣＨ／ＥＰＤＣＣＨを介した下りリンクグラントの検出に基づいて、送信方向ＵＬ−ＤＬ設定によって下りリンクサブフレームとして指示されたサブフレームにおいてＰＤＳＣＨの受信処理を行ってもよい。
【０１３５】
端末装置１は、送信方向ＵＬ−ＤＬ設定によって下りリンクサブフレームとして指示されたサブフレームにおける上りリンク信号（ＰＵＳＣＨ／ＳＲＳ）の送信がスケジュールまたは設定された場合に、該サブフレームにおいて上りリンク信号（ＰＵＳＣＨ／ＳＲＳ）の送信処理を行わない。
【０１３６】
基地局装置３は、送信方向ＵＬ−ＤＬ設定によって上りリンクサブフレームとして指示されたサブフレームにおいて、上りリンクの送信のスケジューリングを行なってもよい。
【０１３７】
基地局装置３は、送信方向ＵＬ−ＤＬ設定によって上りリンクサブフレームとして指示されたサブフレームにおいて、下りリンクの送信のスケジューリングを行なってもよい。送信方向ＵＬ−ＤＬ設定によって上りリンクサブフレームとして指示されたサブフレームにおいて、基地局装置３による下りリンクの送信のスケジューリングを禁止してもよい。
【０１３８】
端末装置１は、送信方向ＵＬ−ＤＬ設定によって上りリンクサブフレームとして指示されたサブフレームにおいて、上りリンク信号の送信処理を行ってもよい。端末装置１は、送信方向ＵＬ−ＤＬ設定によって上りリンクサブフレームとして指示されたサブフレームにおける上りリンク信号（ＰＵＳＣＨ／ＤＭＲＳ／ＳＲＳ）の送信がスケジュールまたは設定された場合に、該サブフレームにおいて上りリンク信号（ＰＵＳＣＨ／ＤＭＲＳ／ＳＲＳ）の送信処理を行ってもよい。
【０１３９】
端末装置１は、送信方向ＵＬ−ＤＬ設定によって上りリンクサブフレームとして指示され、上りリンクの送信がスケジュールされていないサブフレームにおいて、下りリンク信号の受信処理を行ってもよい。送信方向ＵＬ−ＤＬ設定によって上りリンクサブフレームとして指示されたサブフレームにおいて、端末装置１による下りリンク信号の受信処理は禁止されてもよい。
【０１４０】
基地局装置３は、送信方向ＵＬ−ＤＬ設定によってスペシャルサブフレームとして指示されたサブフレームのＤｗＰＴＳにおいて、下りリンクの送信のスケジューリングを行なってもよい。
【０１４１】
端末装置１は、送信方向ＵＬ−ＤＬ設定によってスペシャルサブフレームとして指示されたサブフレームのＤｗＰＴＳにおいて、下りリンク信号の受信処理を行ってもよい。端末装置１は、送信方向ＵＬ−ＤＬ設定によってスペシャルサブフレームとして指示されたサブフレームのＤｗＰＴＳにおいて、ＰＤＣＣＨ／ＥＰＤＣＣＨのモニタを行なってもよい。端末装置１は、ＰＤＣＣＨ／ＥＰＤＣＣＨを介した下りリンクグラントの検出に基づいて、送信方向ＵＬ−ＤＬ設定によってスペシャルサブフレームとして指示されたサブフレームのＤｗＰＴＳにおいてＰＤＳＣＨの受信処理を行ってもよい。
【０１４２】
端末装置１は、送信方向ＵＬ−ＤＬ設定によってスペシャルサブフレームとして指示されたサブフレームにおけるＰＵＳＣＨの送信がスケジュールまたは設定された場合に、該サブフレームにおいてＰＵＳＣＨの送信処理を行わない。
【０１４３】
端末装置１は、送信方向ＵＬ−ＤＬ設定によってスペシャルサブフレームとして指示されたサブフレームのＵｐＰＴＳにおけるＳＲＳの送信が、スケジュールまたは設定された場合に、該サブフレームのＵｐＰＴＳにおいてＳＲＳの送信処理を行ってもよい。
【０１４４】
図１１は、本実施形態における上りリンク参照ＵＬ−ＤＬ設定と下りリンク参照ＵＬ−ＤＬ設定と送信方向ＵＬ−ＤＬ設定の関係を示す図である。
【０１４５】
例えば、図１１において、上りリンク参照ＵＬ−ＤＬ設定が０である場合、下りリンク参照ＵＬ−ＤＬ設定はセット｛０、１、２、３、４、５、６｝のうちの１つである。例えば、図１１において、上りリンク参照ＵＬ−ＤＬ設定が１である場合、下りリンク参照ＵＬ−ＤＬ設定はセット｛１、２、４、５｝のうちの１つである。
【０１４６】
例えば、図１１において、上りリンク参照ＵＬ−ＤＬ設定が０であり、下りリンク参照ＵＬ−ＤＬ設定が１である場合、送信方向ＵＬ−ＤＬ設定はセット｛０、１、６｝のうちの１つである。
【０１４７】
尚、下りリンク参照ＵＬ−ＤＬ設定の値は、上りリンク参照ＵＬ−ＤＬ設定の値と同じでもよい。しかし、第２の情報を受信していない端末装置１は、上りリンク参照ＵＬ−ＤＬ設定の値と同じ値を下りリンク参照ＵＬ−ＤＬ設定としてセットするため、第２の情報が示す下りリンク参照ＵＬ−ＤＬ設定の値は、第１の情報が示す上りリンク参照ＵＬ−ＤＬ設定の値と同じではないほうが好ましい。
【０１４８】
上りリンク参照ＵＬ−ＤＬ設定の値と下りリンク参照ＵＬ−ＤＬ設定の値が同じ場合は、送信方向ＵＬ−ＤＬ設定は定義されなくてもよい。または、上りリンク参照ＵＬ−ＤＬ設定の値と下りリンク参照ＵＬ−ＤＬ設定の値が同じ場合は、上りリンク参照ＵＬ−ＤＬ設定の値および下りリンク参照ＵＬ−ＤＬ設定の値と同じ値が、送信方向ＵＬ−ＤＬ設定にセットされてもよい。
【０１４９】
以下、上りリンクのＨＡＲＱタイミングについて詳細に説明する。
【０１５０】
上りリンク参照ＵＬ−ＤＬ設定は、ＰＤＣＣＨ／ＥＰＤＣＣＨ／ＰＨＩＣＨが配置されるサブフレームｎと前記ＰＤＣＣＨ／ＥＰＤＣＣＨ／ＰＨＩＣＨが対応するＰＵＳＣＨが配置されるサブフレームｎ＋ｋとの対応を特定（選択、決定）するために用いられる。
【０１５１】
図１２は、本実施形態におけるＰＤＣＣＨ／ＥＰＤＣＣＨ／ＰＨＩＣＨが配置されるサブフレームｎと前記ＰＤＣＣＨ／ＥＰＤＣＣＨ／ＰＨＩＣＨが対応するＰＵＳＣＨが配置されるサブフレームｎ＋ｋとの対応を示す図である。端末装置１は、図１２の表に従ってｋの値を特定（選択、決定）する。以下、図１２の説明において、上りリンク参照ＵＬ−ＤＬ設定を、単に上りリンク−下りリンク設定と称する。
【０１５２】
端末装置１は、サブフレームｎにおいて、上りリンク−下りリンク設定１から６がセットされているサービングセルに対応し、端末装置１を対象とする上りリンクグラントをともなうＰＤＣＣＨ／ＥＰＤＣＣＨの検出をした場合に、図１２の表に基づいて特定（選択、決定）されるサブフレームｎ＋ｋにおいて該上りリンクグラントに応じたＰＵＳＣＨ送信を行なう。
【０１５３】
端末装置１は、サブフレームｎにおいて、上りリンク−下りリンク設定１から６がセットされているサービングセルに対応し、端末装置１を対象とするＮＡＣＫをともなうＰＨＩＣＨの検出をした場合に、図１２の表に基づいて特定（選択、決定）されるサブフレームｎ＋ｋにおいてＰＵＳＣＨ送信を行なう。
【０１５４】
上りリンク−下りリンク設定０が設定されたサービングセルに対応し、端末装置１を対象とする上りリンクグラントには、２ビットの上りリンクインデックス（UL index）が含まれる。上りリンク−下りリンク設定１から６が設定されたサービングセルに対応し、端末装置１を対象とする上りリンクグラントには、上りリンクインデックス（UL index）は含まれない。
【０１５５】
端末装置１は、サブフレームｎにおいて、上りリンク−下りリンク設定０がセットされているサービングセルに対応する上りリンクグラントに含まれる上りリンクインデックスのＭＳＢ（Most Significant Bit）が１にセットされている場合には、図１２の表に基づいて特定（選択、決定）されるサブフレームｎ＋ｋにおいて該上りリンクグラントに応じたＰＵＳＣＨ送信を調整する。
【０１５６】
端末装置１は、サブフレームｎ＝０または５における第１のリソースセットにおいて、上りリンク−下りリンク設定０がセットされているサービングセルに対応するＮＡＣＫをともなうＰＨＩＣＨを受信した場合には、図１２の表に基づいて特定（選択、決定）されるサブフレームｎ＋ｋにおいて該ＰＨＩＣＨに応じたＰＵＳＣＨ送信を調整する。
【０１５７】
端末装置１は、サブフレームｎにおいて、上りリンク−下りリンク設定０がセットされているサービングセルに対応する上りリンクグラントに含まれる上りリンクインデックスのＬＳＢ（Least Significant Bit）が１にセットされている場合には、サブフレームｎ＋７において該上りリンクグラントに応じたＰＵＳＣＨ送信を調整する。
【０１５８】
端末装置１は、サブフレームｎ＝０または５における第２のリソースセットにおいて、上りリンク−下りリンク設定０がセットされているサービングセルに対応するＮＡＣＫをともなうＰＨＩＣＨを受信した場合には、サブフレームｎ＋７において該上りリンクグラントに応じたＰＵＳＣＨ送信を調整する。
【０１５９】
端末装置１は、サブフレームｎ＝１または６において、上りリンク−下りリンク設定０がセットされているサービングセルに対応するＮＡＣＫをともなうＰＨＩＣＨを受信した場合には、サブフレームｎ＋７において該上りリンクグラントに応じたＰＵＳＣＨ送信を調整する。
【０１６０】
例えば、端末装置１は、[ＳＦＮ＝ｍ、サブフレーム１]において、上りリンク−下りリンク設定０がセットされているサービングセルに対応するＰＤＣＣＨ／ＥＰＤＣＣＨ／ＰＨＩＣＨを検出した場合に、６つ後のサブフレーム[ＳＦＮ＝ｍ、サブフレーム７]においてＰＵＳＣＨの送信を調整する。
【０１６１】
上りリンク参照ＵＬ−ＤＬ設定は、ＰＨＩＣＨが配置されるサブフレームｎと前記ＰＨＩＣＨが対応するＰＵＳＣＨが配置されるサブフレームｎ−ｋとの対応を特定（選択、決定）するために用いられる。
【０１６２】
図１３は、本実施形態におけるＰＨＩＣＨが配置されるサブフレームｎと前記ＰＨＩＣＨが対応するＰＵＳＣＨが配置されるサブフレームｎ−ｋとの対応を示す図である。端末装置１は、図１３の表に従ってｋの値を特定（選択、決定）する。以下、図１３の説明において、上りリンク参照ＵＬ−ＤＬ設定を、単に上りリンク−下りリンク設定と称する。
【０１６３】
上りリンク−下りリンク設定１から６がセットされているサービングセルに対して、サブフレームｎにおいて、該サービングセルに対応するＰＨＩＣＨを介して受信されるＨＡＲＱインディケータ（ＨＡＲＱ−ＡＣＫ）は、図１３の表に基づいて特定されるサブフレームｎ−ｋにおけるＰＵＳＣＨの送信に関連する。
【０１６４】
上りリンク−下りリンク設定０がセットされているサービングセルに対して、サブフレームｎ＝０または５における第１のリソースセット、または、サブフレームｎ＝１または６において、該サービングセルに対応するＰＨＩＣＨを介して受信されるＨＡＲＱインディケータ（ＨＡＲＱ−ＡＣＫ）は、図１３の表に基づいて特定されるサブフレームｎ−ｋにおけるＰＵＳＣＨの送信に関連する。
【０１６５】
上りリンク−下りリンク設定０がセットされているサービングセルに対して、サブフレームｎ＝０または５における第２のリソースセットにおいて、該サービングセルに対応するＰＨＩＣＨを介して受信されるＨＡＲＱインディケータ（ＨＡＲＱ−ＡＣＫ）は、サブフレームｎ−６におけるＰＵＳＣＨの送信に関連する。
【０１６６】
例えば、上りリンク−下りリンク設定１がセットされているサービングセルに対して、[ＳＦＮ=ｍ、サブフレーム１]においてＰＨＩＣＨを介して受信されたＨＡＲＱインディケータ（ＨＡＲＱ−ＡＣＫ）は、４つ前のサブフレーム[ＳＦＮ=ｍ−１、サブフレーム７]におけるＰＵＳＣＨ送信に関連している。
【０１６７】
上りリンク参照ＵＬ−ＤＬ設定は、ＰＵＳＣＨが配置されるサブフレームｎと前記ＰＵＳＣＨが対応するＰＨＩＣＨが配置されるサブフレームｎ＋ｋとの対応を特定（選択、決定）するために用いられる。
【０１６８】
図１４は、本実施形態におけるＰＵＳＣＨが配置されるサブフレームｎと前記ＰＵＳＣＨが対応するＰＨＩＣＨが配置されるサブフレームｎ＋ｋとの対応を示す図である。端末装置１は、図１４の表に従ってｋの値を特定（選択、決定）する。以下、図１４の説明において、上りリンク参照ＵＬ−ＤＬ設定を、単に上りリンク−下りリンク設定と称する。
【０１６９】
端末装置１は、サブフレームｎにおいてＰＵＳＣＨ送信がスケジュールされた場合には、図１４の表から特定されるサブフレームｎ＋ｋにおいてＰＨＩＣＨリソースを決定する。
【０１７０】
例えば、上りリンク−下りリンク設定０がセットされているサービングセルに対して、[ＳＦＮ=ｍ、サブフレームｎ＝２]においてＰＵＳＣＨ送信がスケジュールされた場合には、[ＳＦＮ=ｍ、サブフレームｎ＝６]においてＰＨＩＣＨリソースが決定される。
【０１７１】
以下、下りリンクのＨＡＲＱタイミングについて詳細に説明する。
【０１７２】
下りリンク参照ＵＬ−ＤＬ設定は、ＰＤＳＣＨが配置されるサブフレームｎと前記ＰＤＳＣＨに対応するＨＡＲＱ−ＡＣＫが送信されるサブフレームｎ＋ｋとの対応を特定（選択、決定）するために用いられる。
【０１７３】
図１５は、本実施形態におけるＰＤＳＣＨが配置されるサブフレームｎ−ｋと前記ＰＤＳＣＨが対応するＨＡＲＱ−ＡＣＫが送信されるサブフレームｎとの対応を示す図である。端末装置１は、図１５の表に従ってｋの値を特定（選択、決定）する。以下、図１５の説明において、下りリンク参照ＵＬ−ＤＬ設定を、単に上りリンク−下りリンク設定と称する。
【０１７４】
端末装置１は、サービングセルのサブフレームｎ−ｋ（ｋは図１５の表によって特定される）において、端末装置１を対象としており、対応するＨＡＲＱ−ＡＣＫの送信を行なうべきＰＤＳＣＨ送信を検出した場合には、サブフレームｎにおいてＨＡＲＱ−ＡＣＫを送信する。
【０１７５】
例えば、端末装置１は、システムインフォメーションの送信に用いられるＰＤＳＣＨ送信に対するＨＡＲＱ−ＡＣＫの応答を行なわない。例えば、端末装置１は、Ｃ−ＲＮＴＩでスクランブルされたＣＲＣをともなうＤＣＩフォーマットによってスケジュールされたＰＤＳＣＨ送信に対するＨＡＲＱ−ＡＣＫの応答を行なう。
【０１７６】
例えば、端末装置１は、サブフレームｎ＝２において、上りリンク−下りリンク設定１がセットされているサービングセルにおけるサブフレームｎ−６および／またはｎ−７において受信したＰＤＳＣＨに対するＨＡＲＱ−ＡＣＫの送信を行なう。
【０１７７】
尚、第２の情報を受信していないサービングセルに対して、下りリンク参照ＵＬ−ＤＬ設定が定義されなくてもよい。この場合は、端末装置１および基地局装置３は、上述した下りリンク参照ＵＬ−ＤＬ設定に基づいて行なわれる処理を、上りリンク参照ＵＬ−ＤＬ設定（サービングセルＵＬ−ＤＬ設定）に基づいて行なってもよい。第２の情報を受信していないサービングセルは、ダイナミックＴＤＤが設定されていないサービングセルである。
【０１７８】
以下、本発明におけるＣＳＩ  ｒｅｐｏｒｔｉｎｇ（報告）について説明する。ただし、ＣＳＩ  ｒｅｐｏｒｔｉｎｇを行なう上りリンクにおいて少なくとも２つのサブフレームセットが設定される場合を想定する。
【０１７９】
ＣＳＩとして送信可能な情報には、チャネル品質指標（ＣＱＩ：Channel Quality Indicator）、ランク指標（ＲＩ：Rank Indicator）、プリコーディング行列指標（ＰＭＩ：Precoding Matrix Indicator）、およびプリコーディングタイプ指標（ＰＴＩ：Precoding Type Indicator）が含まれる。ＣＱＩは、ＰＤＳＣＨで送信される単一のトランスポートブロックに対する、変調方式と符号化率の組合せを表現する。符号化率は、ＰＤＳＣＨのリソース量およびトランスポートブロックサイズから導き出せる。
【０１８０】
図１６は、本実施形態におけるＣＱＩインデックスに対応する変調方式と符号化率の例を示す表である。端末装置１は、ＣＳＩ参照リソース（CSI reference resource）と呼ばれる下りリンク物理リソースブロックのグループで送信され、そして、ＣＱＩインデックスに対応している変調方式とトランスポートブロックサイズの組合せである単一のＰＤＳＣＨトランスポートブロックが、０．１を超えないトランスポートブロック誤り確率で受信できるかもしれない条件を満たす、図１６の表の１から１５の中から最も高いＣＱＩインデックスを導き出す。端末装置１は、ＣＱＩインデックス１が上記条件を満たさない場合には、ＣＱＩインデックス０を導き出す。導出されたＣＳＩは、ＰＵＣＣＨあるいはＰＵＳＣＨを用いて周期的（ｐｅｒｉｏｄｉｃ）ＣＳＩ  ｒｅｐｏｒｔｉｎｇあるいは非周期的（ａｐｅｒｉｏｄｉｃ）ＣＳＩ  ｒｅｐｏｒｔｉｎｇにより基地局装置３へ報告される。
【０１８１】
以下、本発明におけるａｐｅｒｉｏｄｉｃ  ＣＳＩ  ｒｅｐｏｒｔｉｎｇについて記述する。
【０１８２】
ａｐｅｒｉｏｄｉｃ  ＣＳＩはＰＵＳＣＨで伝送される。端末装置１は、サブフレームｎにおいてサービングセルｃに対する上りリンクグラントを検出し、該上りリンクグラントに含まれるＣＳＩリクエストフィールドにおいてＣＳＩ報告をトリガーするようにセットされていた場合に、サービングセルｃにおけるサブフレームｎ＋ｋにおいて該上りリンクグラントによってスケジュールされたＰＵＳＣＨを用いてアピリオディックＣＳＩの報告を行なう。ただし、ｋは図１２に示されるＰＤＣＣＨ／ＥＰＤＣＣＨ／ＰＨＩＣＨが配置されるサブフレームｎと前記ＰＤＣＣＨ／ＥＰＤＣＣＨ／ＰＨＩＣＨが対応するＰＵＳＣＨが配置されるサブフレームｎ＋ｋとの対応関係に基づく。ただし、上りリンクグラントにおいてＰＵＳＣＨにおける上りリンクデータの送信が指示されていない場合には、端末装置１は、ＰＵＳＣＨで上りリンクデータを伴わずにａｐｅｒｉｏｄｉｃ  ＣＳＩを送信することができる。
【０１８３】
ＣＳＩリクエストフィールドは、端末装置１にアピリオディックＣＳＩの報告を指示するかどうかを示す情報（ＣＳＩリクエスト）がマップされる。また、該情報は、ＣＳＩプロセス、および／または、サブフレームセットを示し、そして、端末装置１は、該情報によって示されたＣＳＩプロセス、および／または、サブフレームセットのそれぞれに対するアピリオディックＣＳＩを報告してもよい。
【０１８４】
端末装置１は、ワイドバンドＣＱＩ、および、サブバンドＣＱＩを導き出す。周波数領域において、ワイドバンドＣＱＩは、全ての下りリンク物理リソースブロックに対応し、サブバンドＣＱＩは一部の下りリンク物理リソースブロックに対応する。
【０１８５】
以下、ＣＳＩ参照リソースについて説明する。
【０１８６】
周波数領域において、ＣＳＩ参照リソースは、導き出されるＣＱＩの値が関連するバンドに対応する下りリンク物理リソースブロックのグループによって定義される。
【０１８７】
時間領域において、ＣＳＩ参照リソースは、１つのサブフレームによって定義される。サブフレームｎにおいてＣＳＩが報告される場合、ＣＳＩ参照リソースはサブフレームｎ−ｎＣＱＩｒｅｆによって定義される。
【０１８８】
例えば、サブフレームｎにおいてＣＳＩが報告される場合、ｎＣＱＩｒｅｆは、サブフレームｎ−ｎＣＱＩｒｅｆが有効なサブフレームに対応するような、ｍより大きい、または、同じである最も小さい値である。例えば、ｍは、４または５である。例えば、アピリオディックＣＳＩが報告される場合、ＣＳＩ参照リソースは、対応するＣＳＩリクエストを受信した有効なサブフレームである。
【０１８９】
ＣＳＩ  ｒｅｐｏｒｔｉｎｇにより送信される情報のうちＣＱＩおよび／またはＰＭＩ（以下ＣＱＩ／ＰＭＩと記載する）の送信に用いる変調シンボル（modulation coded symbol）数Ｑ´は、ＰＵＳＣＨにおいて共に送信される上りリンクデータの送信が初送であるか再送であるか、と、再送である場合には、初送で用いられたサブフレームセットと今回(current)用いられるサブフレームセットとの分類の組み合わせにより算出方法が異なる。
【０１９０】
ＣＱＩ／ＰＭＩと共に上りリンクデータが初送される場合、または、ＣＱＩ／ＰＭＩと共に上りリンクデータが再送され、かつ該上りリンクデータの初送のために用いられたサブフレームセット（初送が行われるサブフレームが属するサブフレームセット）と今回(current)該上りリンクデータの再送のために用いられるサブフレームセット（再送が行われるサブフレームが属するサブフレームセット）が同一である場合には、変調シンボル数Ｑ´は次式の数１を用いて算出される。
【０１９１】
【数１】
2015008830.tif 000003
【０１９２】
ｍｉｎ（・）は括弧内で最小の数字を選択する関数である。Ｏは、上位層から入力されたＣＱＩ／ＰＭＩのビット数であり、ＬはＯの値に基づくＣＲＣビットの値である。例えばＬはＯが１１以下の場合に０、Ｌが１２以上の場合に８と設定する。ｘは、複数の上りリンクデータが同時に送信される場合に、ＣＱＩ／ＰＭＩと共にＰＵＳＣＨで送信される上りリンクデータのうち、上りリンクデータの初送のための上りリンクグラントで示されたＭＣＳのインデックスＩＭＣＳが最も高い上りリンクデータのインデックスである。この上りリンクデータを、上りリンクデータｘ、または、単に上りリンクデータとも称する。ただし、２つの上りリンクデータのそれぞれに対する上りリンクグラントで同じＩＭＣＳの値が示されている場合はｘ＝１とする。ＭＰＵＳＣＨ−ｉｎｉｔｉａｌ（ｘ）ＳＣは、ＣＱＩ／ＰＭＩと共にＰＵＳＣＨで送信される上りリンクデータｘのＰＵＳＣＨの初送のためにスケジュールされた帯域幅を示し、サブキャリアの数で表現される。ＮＰＵＳＣＨ−ｉｎｉｔｉａｌ（ｘ）ｓｙｍｂは、ＣＱＩ／ＰＭＩと共にＰＵＳＣＨで送信される上りリンクデータｘのＰＵＳＣＨの初送のためのサブフレーム内のＳＣ−ＦＤＭＡシンボル数を示す。Ｋ（ｘ）ｒはＰＵＳＣＨで送信される上りリンクデータｘのペイロードサイズＡと、該上りリンクデータに付加された巡回冗長検査符号の系列長の和を示す。ＭＰＵＳＣＨＳＣは、ＣＱＩと共にＰＵＳＣＨで送信される上りリンクデータのための現在のサブフレーム内のＰＵＳＣＨ送信のためにスケジュールされた帯域幅を示し、サブキャリアの数で表現される。ＮＰＵＳＣＨｓｙｍｂは、ＣＱＩ／ＰＭＩと共にＰＵＳＣＨで送信される上りリンクデータのＰＵＳＣＨでの送信のための現在のサブフレーム内のＳＣ−ＦＤＭＡシンボル数を示す。Ｑ（ｘ）ＲＩは、ＲＩの送信に用いられる変調シンボル数を示している。Ｑ（ｘ）ｍは、ＣＱＩ／ＰＭＩおよびＲＩの変調に用いられる変調多値数である。
【０１９３】
βＰＵＳＣＨｏｆｆｓｅｔは、基地局装置３によって端末装置１毎に設定され、基地局装置３から端末装置１へ通知される無線リソース制御信号（Radio Resource Control signal: RRC signal）などを用いて設定されるオフセット値である。ただし、ＲＲＣ  ｓｉｇｎａｌはＲＲＣメッセージ（RRC message）、ＲＲＣの情報要素（RRC information elements）、上位層の信号（higher layer signaling）とも称される。端末装置１は、設定されたβＰＵＳＣＨｏｆｆｓｅｔを数１に適用してＱ’を算出する。つまり、βＰＵＳＣＨｏｆｆｓｅｔによって、ＣＱＩ／ＰＭＩの送信に用いられる変調シンボルの数が決定される。つまり、βＰＵＳＣＨｏｆｆｓｅｔによって、ＣＱＩ／ＰＭＩの符号化率（coding rate）が決定される（ＣＱＩ／ＰＭＩの変調および符号化方式（modulation and coding scheme）が決定されても良い）。ただし、βＰＵＳＣＨｏｆｆｓｅｔがＲＲＣ  ｓｉｇｎａｌにより設定されていない場合は予め規定された値を使用する。
【０１９４】
ＣＱＩ／ＰＭＩと共に上りリンクデータが再送され、かつ該上りリンクデータの初送のために用いられたサブフレームセットと今回(current)該上りリンクデータの再送のために用いられるサブフレームセットが異なる場合には、変調シンボル数Ｑ´は次式の数２を用いて算出される。
【０１９５】
【数２】
2015008830.tif 000004
【０１９６】
γｏｆｆｓｅｔは、無線リソース制御信号（Radio Resource Control signal: RRC signal）などを用いて基地局装置３から端末装置１へ通知される第２のオフセット値である。端末装置１は、基地局装置３によって設定されたβＰＵＳＣＨｏｆｆｓｅｔおよびγｏｆｆｓｅｔを数２に適用してＱ’を算出する。
【０１９７】
数１と数２の関係からγｏｆｆｓｅｔの値が１である場合、数１と数２は同一の式となり、Ｑ´はＣＱＩ／ＰＭＩの送信に用いられるサブフレームセットに依存せず決定される。γｏｆｆｓｅｔの値が１以外の値であるとき、上りリンクデータが再送され、かつ該上りリンクデータの初送のために用いられたサブフレームセットと今回(current)該上りリンクデータの再送のために用いられるサブフレームセットが異なる場合とそれ以外の場合でＱ´の値は異なる値が算出される。
【０１９８】
γｏｆｆｓｅｔは、ＰＵＳＣＨにおいてＣＱＩ／ＰＭＩを送信する際に共に送信される上りリンクデータの初送のために用いられたサブフレームセットと今回(current)該上りリンクデータのために用いられるサブフレームセットとが異なる場合に、ＣＱＩ／ＰＭＩの基地局装置３での受信品質を保障するための適切な符号化率を設定するためのオフセットとなる。
【０１９９】
γｏｆｆｓｅｔは、ＣＱＩ／ＰＭＩを送信する際にＰＵＳＣＨにおいて共に送信される上りリンクデータの初送で用いられたサブフレームセットによって異なる値が設定される。第１のサブフレームセットと第２のサブフレームセットの２種類が設定される場合を例として説明する。上りリンクデータの初送のために用いられたサブフレームセットが第１のサブフレームセットであり、該上りリンクデータの再送とＣＱＩ／ＰＭＩの送信を同時に第２のサブフレームセットにおけるＰＵＳＣＨで行なう場合、γｏｆｆｓｅｔ＝γ１，２と設定する。上りリンクデータの初送のために用いられたサブフレームセットが第２のサブフレームセットであり、該上りリンクデータの再送とＣＱＩ／ＰＭＩの送信を同時に第１のサブフレームセットにおけるＰＵＳＣＨで行なう場合、γｏｆｆｓｅｔ＝γ２，１と設定する。これらのγ１，２とγ２，１が各々ＲＲＣ  ｓｉｇｎａｌによって基地局装置３から端末装置１へ通知されて良い。
【０２００】
ただし、γ１，２のみが通知され、γ２，１＝１／γ１，２とする形態としてもよい。すなわち、γ２，１はγ１，２の逆数であってもよい。
【０２０１】
ただし、ＣＱＩ／ＰＭＩと共に上りリンクデータが再送され、かつ上りリンクデータの初送のために用いられたサブフレームセットと今回(current)該上りリンクデータの再送のために用いられるサブフレームセットが異なる場合には、変調シンボル数Ｑ´を、上記数２ではなく次式の数３および数４を用いて算出してもよい。
【０２０２】
【数３】
2015008830.tif 000005
【数４】
2015008830.tif 000006
【０２０３】
上りリンクデータの初送で用いられたサブフレームセットが第１のサブフレームセットであり、該上りリンクデータの再送とＣＱＩ／ＰＭＩの送信を同時に第２のサブフレームセットのＰＵＳＣＨで行なう場合に数３を用いてＱ´を算出する。また、上りリンクデータの初送で用いられたサブフレームセットが第２のサブフレームセットであり、該上りリンクデータの再送とＣＱＩ／ＰＭＩの送信を同時に第１のサブフレームセットにおけるＰＵＳＣＨで行なう場合に数４を用いてＱ´を算出する。
【０２０４】
よって数１、数３、数４を用いてＱ´を算出する場合、オフセットとして基地局装置３から端末装置１へβＰＵＳＣＨｏｆｆｓｅｔ、βＰＵＳＣＨｏｆｆｓｅｔ，２およびβＰＵＳＣＨｏｆｆｓｅｔ，３の３つの値がＲＲＣ  ｓｉｇｎａｌで通知される。ＣＱＩ／ＰＭＩと共に上りリンクデータが初送される場合、または、ＣＱＩ／ＰＭＩと共に上りリンクデータが再送され、かつ該上りリンクデータの初送のために用いられたサブフレームセットと今回(current)該上りリンクデータの再送のために用いられるサブフレームセットが同一である場合には、オフセットにβＰＵＳＣＨｏｆｆｓｅｔを設定する（数１を用いてＱ´を算出する）。上りリンクデータの初送のために用いられたサブフレームセットが第１のサブフレームセットであり、該上りリンクデータの再送とＣＱＩ／ＰＭＩの送信を同時に第２のサブフレームセットにおけるＰＵＳＣＨで行なう場合には、オフセットにβＰＵＳＣＨｏｆｆｓｅｔ，２を設定する（数３を用いてＱ´を算出する）。上りリンクデータの初送のために用いられたサブフレームセットが第２のサブフレームセットであり、該上りリンクデータの再送とＣＱＩ／ＰＭＩの送信を同時に第１のサブフレームセットにおけるＰＵＳＣＨで行なう場合には、オフセットにβＰＵＳＣＨｏｆｆｓｅｔ，３を設定する（数４を用いてＱ´を算出する）。
【０２０５】
ただし、上記の例では、数１、数３および数４の複数の式を用いる形態としたが、これらの式を統一し、数５により表現することができる。
【０２０６】
【数５】
2015008830.tif 000007
【０２０７】
Ｂｏｆｆｓｅｔは、ＣＱＩ／ＰＭＩと共に上りリンクデータが初送される場合、または、ＣＱＩ／ＰＭＩと共に上りリンクデータが再送され、かつ該上りリンクデータの初送のために用いられたサブフレームセットと今回(current)該上りリンクデータの再送のために用いられるサブフレームセットが同一である場合には、Ｂｏｆｆｓｅｔ＝βＰＵＳＣＨｏｆｆｓｅｔを設定する。上りリンクデータの初送のために用いられたサブフレームセットが第１のサブフレームセットであり、該上りリンクデータの再送とＣＱＩ／ＰＭＩの送信を同時に第２のサブフレームセットにおけるＰＵＳＣＨで行なう場合にＢｏｆｆｓｅｔ＝βＰＵＳＣＨｏｆｆｓｅｔ，２を設定する。上りリンクデータの初送のために用いられたサブフレームセットが第２のサブフレームセットであり、該上りリンクデータの再送とＣＱＩ／ＰＭＩの送信を同時に第１のサブフレームセットにおけるＰＵＳＣＨで行なう場合にＢｏｆｆｓｅｔ＝βＰＵＳＣＨｏｆｆｓｅｔ，３を設定する。
【０２０８】
ただし、上記の例ではサブフレームセットが２種類である場合を示したが、サブフレームセットが３種類以上の場合でもＲＲＣ  ｓｉｇｎａｌで通知するオフセットの数を増やすことで同様に実現することができる。
【０２０９】
ただし、上記のようにＣＱＩ／ＰＭＩの変調シンボル数の算出に用いるオフセットの値を設定する場合、端末装置１は上りリンクデータを初送するために用いるサブフレームセットを記憶し、該記憶したサブフレームセットとＣＱＩ／ＰＭＩと共に該上りリンクデータを再送するために用いるサブフレームセットに応じてオフセットの値を特定する必要がある。これに対し、端末装置１は、上りリンクデータを初送するためのサブフレームセットに依存せず、ＣＱＩ／ＰＭＩを送信するためのサブフレームセットに基づいてオフセットの値を特定（設定）しても良い。この場合、端末装置１は例えば数６を用いてＣＱＩ／ＰＭＩの変調シンボル数を算出することができる。
【０２１０】
【数６】
2015008830.tif 000008
【０２１１】
ただし、Ｂ´ｏｆｆｓｅｔは、ＣＱＩ／ＰＭＩが第１のサブフレームセットにおけるＰＵＳＣＨで送信される場合にＢｏｆｆｓｅｔ＝βＰＵＳＣＨｏｆｆｓｅｔ，１を設定し、ＣＱＩ／ＰＭＩが第２のサブフレームセットにおけるＰＵＳＣＨで送信される場合にＢ´ｏｆｆｓｅｔ＝βＰＵＳＣＨｏｆｆｓｅｔ，２を設定する。ここでは、βＰＵＳＣＨｏｆｆｓｅｔ，１およびβＰＵＳＣＨｏｆｆｓｅｔ，２は、基地局装置３からのＲＲＣ  ｓｉｇｎａｌにより設定されるオフセットの値である。このようにＣＱＩ／ＰＭＩを送信するためのサブフレームセットに基づいて設定されるオフセットの値を異なる値にすることで、サブフレームセット毎に異なる伝搬路特性に応じて適切なＣＱＩ／ＰＭＩの変調シンボル数を設定することができる。
【０２１２】
ただし、数６においてＢ´ｏｆｆｓｅｔは、第１のサブフレームセットと第２のサブフレームセットの２種類で各々独立した値を設定する形態を示したが、サブフレームセットが３種類以上設定される場合に、サブフレームセット毎に値が設定されても良い。
【０２１３】
一方で基地局装置３は端末装置１から上りリンクデータを受信するタイミングにより該上りリンクデータが初送されるサブフレームセットを判別することができる。更に端末装置１に対するＣＳＩリクエストを行なう上りリンクグラントの送信タイミングによりＣＳＩ／ＰＭＩを受信するサブフレームのサブフレームセットを特定することができる。すなわち、基地局装置３はＣＳＩリクエストを送信する際に、ＰＵＳＣＨにおいてＣＱＩ／ＰＭＩと共に上りリンクデータが初送されるか再送されるか、と、上りリンクデータが再送される場合には、該上りリンクデータの初送のために用いられたサブフレームセットと今回(current)該上りリンクデータの再送のために用いられるサブフレームセットとの組み合わせによって、端末装置１がＣＱＩ／ＰＭＩの変調シンボル数の算出のために使用するオフセットの適切な値を特定することができる。したがって、基地局装置３が複数のビットを用いてＣＳＩリクエストを送信し、該複数のビットの組み合わせによりオフセットの値を指定することで、端末装置１は上りリンクデータの初送時および再送時のサブフレームセットの種類に依存することなく、オフセットの値を設定することができる。
【０２１４】
図１７に３ビットのＣＳＩリクエストフィールドを用いた場合のオフセットβＰＵＳＣＨｏｆｆｓｅｔの値の例を示す。ただし、ここでは端末装置１がＣＱＩ／ＰＭＩの送信に用いる変調シンボル（modulation coded symbol）数Ｑ´を数１により導出するものとする。ＣＳＩフィールドの値「０００」は基地局装置３が端末装置１に対し、ＣＳＩの送信を要求しない場合であり、βＰＵＳＣＨｏｆｆｓｅｔの設定は不要である。ＣＳＩフィールドの値が「００１」である場合、端末装置１はβＰＵＳＣＨｏｆｆｓｅｔに上位層により設定された第１の値を設定する。同様に端末装置１はＣＳＩフィールドの値が「０１０」、「０１１」、「１００」、「１０１」、「１１０」、「１１１」である場合にはそれぞれβＰＵＳＣＨｏｆｆｓｅｔに上位層により設定された第２の値、第３の値、第４の値、第５の値、第６の値、第７の値を設定する。ただし、第１の値〜第７の値は必ずしも異なる値でなくても良く、その一部には同じ値が使用されても良い。
【０２１５】
ただし、複数ビットのＣＳＩフィールドを用いる場合において、他の情報とオフセットの値が組み合わせて設定されても良い。例えば、下りリンクにおいて複数のサービングセルが用いられ、該複数のサービングセルから選択してＣＳＩを導出する場合、および／または、ＣＳＩを送信するプロセスが複数存在する場合、および／または、下り回線で使用されるサブフレームセットが複数存在する場合に、ＣＳＩを導出する下りリンクのサービングセル、ＣＳＩプロセス、およびサブフレームセットのトリガーが複数ビットのＣＳＩリクエストフィールドに対応していてもよい。図１８において、３ビットのＣＳＩフィールドの値のそれぞれによって、アピリオディックＣＳＩがトリガーされるサービングセル、ＣＳＩプロセス、およびサブフレームセットの組み合わせと、ＣＱＩ／ＰＭＩの変調シンボル数の算出に使用するオフセットの値の一例を示す。ＣＳＩフィールドの値が「０００」である場合、基地局装置３は端末装置１に対し、アピリオディックＣＳＩ報告を要求せず、βＰＵＳＣＨｏｆｆｓｅｔは設定されない。ＣＳＩフィールドの値が「００１」である場合、基地局装置３は端末装置１に対し、アピリオディックＣＳＩの送信に用いられるサービングセルｃのアピリオディックＣＳＩの報告を要求し、かつ、その場合のＣＱＩ／ＰＭＩの変調シンボル数の算出のために用いるβＰＵＳＣＨｏｆｆｓｅｔを上位層によって設定された第１の値とする。ただし、報告対象となるＣＳＩプロセス、および／または、サブフレームセットは上位層によって設定される。ＣＳＩフィールドの値が「０１０」〜「１１１」である場合、基地局装置３は端末装置１に対し、アピリオディックＣＳＩ報告を要求し、かつ、その場合のＣＱＩ／ＰＭＩの変調シンボル数の算出のために用いるβＰＵＳＣＨｏｆｆｓｅｔをそれぞれ上位層によって設定された第２の値〜第７の値とする。ただし、ＣＳＩフィールドが「０１０」〜「１１１」である時のそれぞれの報告対象となるサービングセル、および／またはＣＳＩプロセス、および／または、サブフレームセットは上位層によってそれぞれ設定された第１のセット〜第６のセットである。
【０２１６】
ただし、図１８において、ＣＳＩフィールドの値が「００１」であるときの、報告対象となるサービングセルは、アピリオディックＣＳＩの送信に用いられるサービングセルｃとしたが、「０１０」〜「１１１」の場合と同様に上位層で設定されても良い。
【０２１７】
ただし、図１８において、ＣＳＩフィールドの値が「０１０」〜「１１１」であるときの、アピリオディックＣＳＩがトリガーされるサービングセル、ＣＳＩプロセス、およびサブフレームセットの組み合わせは第１のセット〜第６のセットとして説明したが、これらの一部のセットは互いに同じセットが指定されるように定義されても良い。例えば、ＣＳＩフィールドの値が「０１１」である場合に第１のセットに対するアピリオディックＣＳＩ報告がトリガーされるように定義されても良い。
【０２１８】
ただし、図１８において、ＣＳＩフィールドの値が「００１」〜「１１１」であるときの、ＣＱＩ／ＰＭＩの変調シンボル数の算出のために用いるβＰＵＳＣＨｏｆｆｓｅｔはそれぞれ上位層で設定された第１の値〜第７の値としたが、これらの一部の値は互いに同じ値が指定されるように定義されても良い。例えば、ＣＳＩフィールドの値が「１１１」である場合に用いるβＰＵＳＣＨｏｆｆｓｅｔを上位層で設定された第１の値とするように定義されても良い。この場合に、上位層によって第７の値を設定することが不要となる。
【０２１９】
ただし、図１８において、ＣＳＩフィールドの値が「００１」〜「１１１」であるときの、ＣＱＩ／ＰＭＩの変調シンボル数の算出のために用いるβＰＵＳＣＨｏｆｆｓｅｔはそれぞれ上位層で設定された第１の値〜第７の値としたが、これらの一部の値は互いに逆数が指定されるように定義されても良い。例えば、ＣＳＩフィールドの値が「１１０」である場合に用いるβＰＵＳＣＨｏｆｆｓｅｔを上位層で設定された第１の値の逆数とするように定義されても良い。この場合、上位層によって第６の値を設定することが不要となる。
【０２２０】
図１９は、本実施形態の端末装置１の構成を示す概略ブロック図である。図示するように、端末装置１は、上位層処理部１０１、制御部１０３、受信部１０５、送信部１０７と送受信アンテナ１０９を含んで構成される。また、上位層処理部１０１は、無線リソース制御部１０１１、サブフレーム設定部１０１３、スケジューリング情報解釈部１０１５、および、チャネル状態情報（ＣＳＩ）報告制御部１０１７を含んで構成される。また、受信部１０５は、復号部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【０２２１】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０２２２】
上位層処理部１０１が備える無線リソース制御部１０１１は、自装置の各種設定情報の管理をする。また、無線リソース制御部１０１１は、上りリンクの各チャネルに配置される情報を生成し、送信部１０７に出力する。
【０２２３】
上位層処理部１０１が備えるサブフレーム設定部１０１３は、上りリンク参照ＵＬ−ＤＬ設定（Uplink reference configuration）、下りリンク参照ＵＬ−ＤＬ設定（Downlink reference configuration）、および、送信方向ＵＬ−ＤＬ設定（transmission direction configuration）の管理をする。サブフレーム設定部１０１３は、上りリンク参照ＵＬ−ＤＬ設定、下りリンク参照ＵＬ−ＤＬ設定、および、送信方向ＵＬ−ＤＬ設定をセットする。また、サブフレーム設定部１０１３は、少なくとも２つのサブフレームセットをセットする。
【０２２４】
上位層処理部１０１が備えるスケジューリング情報解釈部１０１５は、受信部１０５を介して受信したＤＣＩフォーマット（スケジューリング情報）の解釈をし、前記ＤＣＩフォーマットを解釈した結果に基づき、受信部１０５、および送信部１０７の制御を行なうために制御情報を生成し、制御部１０３に出力する。
【０２２５】
スケジューリング情報解釈部１０１５は、さらに、上りリンク参照ＵＬ−ＤＬ設定、下りリンク参照ＵＬ−ＤＬ設定、および／または、送信方向ＵＬ−ＤＬ設定に基づいて、送信処理および受信処理を行うタイミングを決定する。
【０２２６】
チャネル状態情報報告制御部１０１７は、ＣＳＩ参照リソースを特定する。チャネル状態情報報告制御部１０１７は、チャネル測定部１０５９に、ＣＳＩ参照リソースに関連するＣＱＩを導き出すよう指示する。チャネル状態情報報告制御部１０１７は、送信部１０７に、ＣＱＩを送信するよう指示をする。チャネル状態情報報告制御部１０１７は、チャネル測定部１０５９がＣＱＩを算出する際に用いる設定をセットする。
【０２２７】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０２２８】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【０２２９】
無線受信部１０５７は、送受信アンテナ１０９を介して受信した下りリンクの信号を、直交復調によりベースバンド信号に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からＣＰ（Cyclic Prefix）に相当する部分を除去し、ＣＰを除去した信号に対して高速フーリエ変換（Fast Fourier Transform: FFT）を行い、周波数領域の信号を抽出する。
【０２３０】
多重分離部１０５５は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨ、ＰＤＣＣＨ、ＥＰＤＣＣＨ、およびＰＤＳＣＨの伝搬路の補償を行なう。また、多重分離部１０５５は、分離した下りリンク参照信号をチャネル測定部１０５９に出力する。
【０２３１】
復調部１０５３は、ＰＨＩＣＨに対して対応する符号を乗算して合成し、合成した信号に対してＢＰＳＫ（Binary Phase Shift Keying）変調方式の復調を行ない、復号部１０５１へ出力する。復号部１０５１は、自装置宛てのＰＨＩＣＨを復号し、復号したＨＡＲＱインディケータを上位層処理部１０１に出力する。復調部１０５３は、ＰＤＣＣＨおよび／またはＥＰＤＣＣＨに対して、ＱＰＳＫ変調方式の復調を行ない、復号部１０５１へ出力する。復号部１０５１は、ＰＤＣＣＨおよび／またはＥＰＤＣＣＨの復号を試み、復号に成功した場合、復号した下りリンク制御情報と下りリンク制御情報が対応するＲＮＴＩとを上位層処理部１０１に出力する。
【０２３２】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号部１０５１へ出力する。復号部１０５１は、下りリンク制御情報で通知された符号化率に関する情報に基づいて復号を行い、復号した下りリンクデータ（トランスポートブロック）を上位層処理部１０１へ出力する。
【０２３３】
チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。チャネル測定部１０５９は、ＣＱＩの算出のために、チャネル測定、および／または、干渉測定を行なう。
【０２３４】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。
【０２３５】
符号化部１０７１は、上位層処理部１０１から入力された上りリンク制御情報と上りリンクデータを符号化し、変調部１０７３に出力する。図２０は、本発明の符号化部１０７１の構成を示す概略ブロック図である。符号化部１０７１は、データ符号化部１０７１ａ、変調シンボル数決定部１０７１ｂ、ＣＱＩ符号化部１０７１ｃ、データ・制御情報多重部１０７１ｄ、およびインタリーブ部１０７１ｅを含んで構成される。
【０２３６】
データ符号化部１０７１ａは、基地局装置３から受信した上りリンクグラントに基づいて上位層１０１から入力されたＡビットのａｉ（０≦ｉ≦Ａ−１）上りリンクデータに巡回冗長検査符号を付加してから誤り訂正符号化し、レートマッチングにより生成されるＧビットの上りリンクデータの符号化ビットｆｊ（０≦ｊ≦Ｇ−１）を、データ・制御情報多重部１０７１ｄへ出力する。
【０２３７】
変調シンボル数決定部１０７１ｂは、ＣＱＩ符号化部１０７１ｃにおいて符号化されるＣＱＩ／ＰＭＩの送信に用いる変調シンボルの数Ｑ´を決定する。ただし、Ｑ´の算出方法については前述の通りである。変調シンボル数決定部１０７１ｂは算出したＱ´をＣＱＩ符号化部１０７１ｃに出力する。
【０２３８】
ＣＱＩ符号化部１０７１ｃは、上位層処理部１０１から入力されたＯビットのＣＱＩビットｏｋ（０≦ｋ≦Ｏ−１）を符号化し、符号化後のＣＱＩビットｑｌ（０≦ｌ≦ＮＬ・ＱＣＱＩ−１）をデータ・制御情報多重部１０７１ｄへ出力する。ただし、符号化後のビット数ＮＬ・ＱＣＱＩは変調シンボル数決定部１０７１ｂより入力されたＱ´を用いて算出され、ＱＣＱＩ＝Ｑ（ｘ）ｍ×Ｑ´であり、ＮＬは送信に用いられるレイヤ数である。
データ・制御情報多重部１０７１ｄは、上りリンクデータの符号化ビットｆｊとＣＱＩの符号化ビットｑｌが入力され、これらのビットを多重化し、Ｈビットの符号化ビットｇｎ（０≦ｎ≦Ｈ−１）をインタリーブ部１０７１ｅに出力する。ただし、Ｈ＝Ｇ＋ＮＬ・ＱＣＱＩである。
【０２３９】
インタリーブ部１０７１ｅは、データ・制御情報多重部１０７１ｄから入力された符号化ビットｇｎをインタリーブし、変調部１０７３へ出力する。ただし、図２０においては、多重された上りリンクデータとＣＱＩ／ＰＭＩの符号化ビットのみでインタリーブを行なう例を示しているが、その他、ＣＳＩを構成するＲＩやＨＡＲＱ−ＡＣＫなどの符号化ビットが連結された後にインタリーブされても良い。また、連結されるＲＩやＨＡＲＱ−ＡＣＫの符号化ビットにおいて用いられる変調シンボル数についても本発明に示すＣＱＩ／ＰＭＩの場合と同様にサブフレームセット毎に異なる算出方法を適用することができる。
【０２４０】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ（Multiple Input Multiple Output）ＳＭ（Spatial Multiplexing）を用いることにより同一のＰＵＳＣＨで送信される複数の上りリンクデータを、複数の系列にマッピングし、この系列に対してプレコーディング（precoding）を行なう。
【０２４１】
上りリンク参照信号生成部１０７９は、基地局装置３を識別するための物理セル識別子（physical cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【０２４２】
無線送信部１０７７は、多重された信号を逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、ローパスフィルタを用いて余分な周波数成分を除去し、搬送波周波数にアップコンバート（up convert）し、電力増幅し、送受信アンテナ１０９に出力して送信する。
【０２４３】
図２１は、本実施形態の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、サブフレーム設定部３０１３、スケジューリング部３０１５、および、チャネル状態情報（ＣＳＩ）報告制御部３０１７を含んで構成される。また、受信部３０５は、復号部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０２４４】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０２４５】
上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上位ノードから取得し、送信部３０７に出力する。また、無線リソース制御部３０１１は、端末装置１各々の各種設定情報の管理をする。
【０２４６】
上位層処理部３０１が備えるサブフレーム設定部３０１３は、上りリンク参照ＵＬ−ＤＬ設定、下りリンク参照ＵＬ−ＤＬ設定、および、送信方向ＵＬ−ＤＬ設定の管理を、端末装置１のそれぞれに対して行なう。サブフレーム設定部３０１３は、端末装置１のそれぞれに対して、上りリンク参照ＵＬ−ＤＬ設定、下りリンク参照ＵＬ−ＤＬ設定、および、送信方向ＵＬ−ＤＬ設定をセットする。
【０２４７】
サブフレーム設定部３０１３は、上りリンク参照ＵＬ−ＤＬ設定を示す第１の情報、下りリンク参照ＵＬ−ＤＬ設定を示す第２の情報、送信方向ＵＬ−ＤＬ設定を示す第３の情報を生成する。サブフレーム設定部３０１３は、送信部３０７を介して、第１の情報、第２の情報、および、第３の情報を、端末装置１に送信する。
【０２４８】
基地局装置３は、端末装置１に対する、上りリンク参照ＵＬ−ＤＬ設定、下りリンク参照ＵＬ−ＤＬ設定、および／または、送信方向ＵＬ−ＤＬ設定を決定してもよい。また、基地局装置３は、端末装置１に対する、上りリンク参照ＵＬ−ＤＬ設定、下りリンク参照ＵＬ−ＤＬ設定、および／または、送信方向ＵＬ−ＤＬ設定を上位ノードから指示されてもよい。
【０２４９】
例えば、サブフレーム設定部３０１３は、上りリンクのトラフィック量および下りリンクのトラフィック量に基づいて、上りリンク参照ＵＬ−ＤＬ設定、下りリンク参照ＵＬ−ＤＬ設定、および／または、送信方向ＵＬ−ＤＬ設定を決定してもよい。
【０２５０】
サブフレーム設定部３０１３は、少なくとも２つのサブフレームセットの管理を行なう。サブフレーム設定部３０１３は、端末装置１のそれぞれに対して、少なくとも２つのサブフレームセットをセットしてもよい。サブフレーム設定部３０１３は、サービングセルのそれぞれに対して、少なくとも２つのサブフレームセットをセットしてもよい。サブフレーム設定部３０１３は、ＣＳＩプロセスのそれぞれに対して、少なくとも２つのサブフレームセットをセットしてもよい。
【０２５１】
サブフレーム設定部３０１３は、少なくとも２つのサブフレームセットを示す情報を、送信部３０７を介して、端末装置１に送信する。
【０２５２】
上位層処理部３０１が備えるスケジューリング部３０１５は、受信したチャネル状態情報およびチャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１５は、フレキシブルサブフレームにおいて下りリンク物理チャネルおよび／または下りリンク物理信号をスケジュールするか、上りリンク物理チャネルおよび／または上りリンク物理信号をスケジュールするかを決定する。スケジューリング部３０１５は、スケジューリング結果に基づき、受信部３０５、および送信部３０７の制御を行なうために制御情報（例えば、ＤＣＩフォーマット）を生成し、制御部３０３に出力する。
【０２５３】
スケジューリング部３０１５は、スケジューリング結果に基づき、物理チャネル（ＰＤＳＣＨおよびＰＵＳＣＨ）のスケジューリングに用いられる情報を生成する。スケジューリング部３０１５は、さらに、上りリンク参照ＵＬ−ＤＬ設定、下りリンク参照ＵＬ−ＤＬ設定、および／または、送信方向ＵＬ−ＤＬ設定に基づいて、送信処理および受信処理を行うタイミングを決定する。
【０２５４】
上位層処理部３０１が備えるチャネル状態情報報告制御部３０１７は、端末装置１のＣＳＩ報告を制御する。チャネル状態情報報告制御部３０１７は、端末装置１がＣＳＩ参照リソースにおいてＣＱＩを導き出すために想定する、各種設定を示す情報を、送信部３０７を介して、端末装置１に送信する。
【０２５５】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０２５６】
受信部３０５は、制御部３０３から入力された制御信号に従って、送受信アンテナ３０９を介して端末装置１から受信した受信信号を分離、復調、復号し、復号した情報を上位層処理部３０１に出力する。無線受信部３０５７は、送受信アンテナ３０９を介して受信された上りリンクの信号を、直交復調によりベースバンド信号に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０２５７】
無線受信部３０５７は、変換したディジタル信号からＣＰ（Cyclic Prefix）に相当する部分を除去する。無線受信部３０５７は、ＣＰを除去した信号に対して高速フーリエ変換（Fast Fourier Transform: FFT）を行い、周波数領域の信号を抽出し多重分離部３０５５に出力する。
【０２５８】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０２５９】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が端末装置１各々に上りリンクグラントで予め通知した変調方式を用いて受信信号の復調を行なう。復調部３０５３は、端末装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０２６０】
復号部３０５１は、復調されたＰＵＣＣＨとＰＵＳＣＨの符号化ビットを、予め定められた符号化方式の、予め定められた、又は自装置が端末装置１に上りリンクグラントで予め通知した符号化率で復号を行ない、復号した上りリンクデータと、上りリンク制御情報を上位層処理部３０１へ出力する。ＰＵＳＣＨが再送信の場合は、復号部３０５１は、上位層処理部３０１から入力されるＨＡＲＱバッファに保持している符号化ビットと、復調された符号化ビットを用いて復号を行なう。図２２は、本発明の復号部３０５１のうちＰＵＳＣＨの復号処理を行なう構成を示す概略ブロック図である。復号部３０５１は、デインタリーブ部３０５１ａ、変調シンボル数特定部３０５１ｂ、データ・制御情報分離部３０５１ｃ、データ復号部３０５１ｄ、およびＣＱＩ復号部３０５１ｅを含んで構成される。
デインタリーブ部３０５１ａは、復調部３０５３から入力されたＨビットのＰＵＳＣＨの符号化ビットｈ´ｎ（０≦ｎ≦Ｈ−１）をデインタリーブし、デインタリーブ後の符号化ビットｇ´ｎをデータ・制御情報分離部３０５１ｃへ出力する。ただし、図２２においては全ての符号化ビットをデータ・制御情報分離部３０５１ｃへ出力する構成としているが、ＣＳＩを構成するＲＩやＨＡＲＱ−ＡＣＫなどの符号化ビットが含まれる場合にこれらを分離し、別途復号処理を行なう構成として良い。また、分離されるＲＩやＨＡＲＱ−ＡＣＫの符号化ビットのビット数を算出する際に、本発明に示すＣＱＩ／ＰＭＩの場合と同様にサブフレームセット毎に異なる算出方法を適用することができる。
【０２６１】
変調シンボル数特定部３０５１ｂは、デインタリーブ部３０５１ａより出力される符号ビットのうち、ＣＱＩ／ＰＭＩに相当するビットを抽出するため、該ビットに相当する変調シンボルの数Ｑ´を特定し、データ・制御情報分離部３０５１ｃに出力する。ただし、Ｑ´の算出方法については端末装置１の変調シンボル数決定部１０７１ｂと同様の方法が用いられ、算出に必要なパラメータは上位処理部３０１より取得する。
【０２６２】
データ・制御情報分離部３０５１ｃは、デインタリーブ部３０５１ａより出力される符号ビットｇ´ｎから上りリンクデータに相当するＧビットの符号化ビットｆ´ｊ（０≦ｊ≦Ｇ−１）とＣＱＩ／ＰＭＩに相当するＮＬ・ＱＣＱＩビットの符号化ビットｑ´ｌ（０≦ｌ≦ＮＬ・ＱＣＱＩ−１）を抽出し、ｆ´ｊをデータ復号部３０５１ｄへ出力し、ｑ´ｌをＣＱＩ復号部３０５１ｅへ出力する。ただし、符号化後のビット数ＮＬ・ＱＣＱＩは変調シンボル数特定部３０５１ｂより入力されたＱ´を用いて算出され、ＱＣＱＩ＝Ｑ（ｘ）ｍ×Ｑ´であり、ＮＬは送信に用いられたレイヤ数である。
【０２６３】
データ復号部３０５１ｄは、端末装置１へ送信した上りリンクグラントに基づいて上りリンクデータの復号処理を行なう。データ復号部３０５１ｄは、データ・制御情報分離部３０５１ｃより入力された符号化ビットｆ´ｊからＡビットの上りリンクデータａ´ｉ（０≦ｉ≦Ａ−１）を復号し、上位層処理部３０１へ出力する。
【０２６４】
ＣＱＩ復号部３０５１ｅは、データ・制御情報分離部３０５１ｃより入力された符号化ビットｑ´ｌからＯビットのＣＱＩビットｏｋ（０≦ｋ≦Ｏ−１）を復号し、上位層処理部３０１へ出力する。
【０２６５】
チャネル測定部３０５９は、多重分離部３０５５から入力された上りリンク参照信号から伝搬路の推定値、チャネルの品質などを測定し、多重分離部３０５５および上位層処理部３０１に出力する。
【０２６６】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＥＰＤＣＣＨ、ＰＤＳＣＨ、および下りリンク参照信号を多重して、送受信アンテナ３０９を介して端末装置１に信号を送信する。
【０２６７】
符号化部３０７１は、上位層処理部３０１から入力されたＨＡＲＱインディケータ、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０２６８】
下りリンク参照信号生成部３０７９は、基地局装置３を識別するための物理セル識別子（ＰＣＩ）などを基に予め定められた規則で求まる、端末装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０２６９】
無線送信部３０７７は、多重された変調シンボルなどを逆高速フーリエ変換（Inverse Fast Fourier Transform: IFFT）して、ＯＦＤＭシンボルを生成し、生成したＯＦＤＭシンボルにＣＰを付加し、ベースバンドのディジタル信号を生成し、ベースバンドのディジタル信号をアナログ信号に変換し、ローパスフィルタにより余分な周波数成分を除去し、搬送波周波数にアップコンバート（up convert）し、電力増幅し、送受信アンテナ３０９に出力して送信する。
【０２７０】
以上より、本発明の端末装置１は下記の様な特徴を有してよい。
【０２７１】
（１）本実施形態の端末装置１は、基地局装置３と通信する端末装置１であって、オフセットの値に基づいて、物理上りリンク共用チャネルで送信するチャネル状態情報に対する変調シンボル数を決定する変調シンボル数決定部１０７１ｂと、上記物理上りリンク共用チャネルで前記チャネル状態情報を上記基地局装置３へ送信する送信部１０７と、を備え、上記オフセットの値は、２つのサブフレームセットが上位層によって設定された場合に、上記物理上りリンク共用チャネルでの送信が行われるサブフレームが属するサブフレームセットに基づいて決定される。
【０２７２】
（２）また、本発明の端末装置１は、基地局装置３と通信する端末装置１であって、第１のサブフレームセットと第２のサブフレームセットを設定するサブフレーム設定部１０１３と、オフセットの値に基づいて、物理上りリンク共用チャネルで送信されるチャネル状態情報に対する変調シンボル数を決定する変調シンボル数決定部１０７１ｂと、上記物理上りリンク共用チャネルで上記チャネル状態情報を上記基地局装置３へ送信する送信部１０７と、を備え、上記決定部１０７は、上記オフセットの値として第１の値を設定し、上記物理上りリンク共用チャネルでの送信が行われるサブフレームが上記第２のサブフレームセットに属する場合には、上記オフセットの値として、上記第１の値の代わりに第２の値を設定する。
【０２７３】
（３）また、本実施形態の端末装置１における上記第１の値および上記第２の値のそれぞれは、上位層の信号に基づいて設定される。
【０２７４】
（４）また、本実施形態の端末装置１における上記の端末装置における上記チャネル状態情報は、ＣＱＩおよびＰＭＩである。
【０２７５】
（５）また、本実施形態の端末装置１における上記チャネル状態情報は、ＲＩである。
【０２７６】
（６）本実施形態の基地局装置３は、端末装置１と通信する基地局装置３であって、オフセットの値に基づいて、物理上りリンク共用チャネルで受信されるチャネル状態情報に対する変調シンボル数を算出する変調シンボル数特定部３０５１ｂと、上記物理上りリンク共用チャネルで上記チャネル状態情報を上記端末装置１から受信する受信部３０５と、を備え、上記オフセットの値は、２つのサブフレームセットを上位層において設定している場合に、上記物理上りリンク共用チャネルでの受信が行われるサブフレームが属するサブフレームセットに基づく。
【０２７７】
（７）また、本実施形態の基地局装置３は、端末装置１と通信する基地局装置３であって、第１のサブフレームセットと第２のサブフレームセットを設定するサブフレーム設定部３０１３と、オフセットの値に基づいて、物理上りリンク共用チャネルで受信されるチャネル状態情報に対する変調シンボル数を算出する変調シンボル数特定部３０５１ｂと、上記物理上りリンク共用チャネルで上記チャネル状態情報を上記端末装置１から受信する受信部３０５と、を備え、上記算出部３０５は、上記オフセットの値として第１の値を設定し、上記物理上りリンク共用チャネルでの受信が行われるサブフレームが上記第２のサブフレームセットに属する場合には、上記オフセットの値として、上記第１の値の代わりに第２の値を設定する。
【０２７８】
（８）また、本実施形態の基地局装置３における上記第１の値および上記第２の値のそれぞれは、上位層の信号に基づいて設定される。
【０２７９】
（９）また、本実施形態の基地局装置３における上記チャネル状態情報は、ＣＱＩおよびＰＭＩである。
【０２８０】
（１０）また、本実施形態の基地局装置３における上記チャネル状態情報は、ＲＩである。
【０２８１】
本発明に関わる基地局装置３、および端末装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０２８２】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２８３】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２８４】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２８５】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０２８６】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０２８７】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２８８】
また、上述した実施形態では、端末装置もしくは通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２８９】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２９０】
１（１Ａ、１Ｂ、１Ｃ）  端末装置
３  基地局装置
１０１  上位層処理部
１０３  制御部
１０５  受信部
１０７  送信部
１０９  送受信アンテナ
３０１  上位層処理部
３０３  制御部
３０５  受信部
３０７  送信部
３０９  送受信アンテナ
１０１１  無線リソース制御部
１０１３  サブフレーム設定部
１０１５  スケジューリング情報解釈部
１０１７  チャネル状態情報報告制御部
１０５１  復号部
１０５３  復調部
１０５５  多重分離部
１０５７  無線受信部
１０５９  チャネル測定部
１０７１  符号化部
１０７１ａ  データ符号化部
１０７１ｂ  変調シンボル数決定部
１０７１ｃ  ＣＱＩ符号化部
１０７１ｄ  データ・制御情報多重部
１０７１ｅ  インタリーブ部
１０７３  変調部
１０７５  多重部
１０７７  無線送信部
１０７９  上りリンク参照信号生成部
３０１１  無線リソース制御部
３０１３  サブフレーム設定部
３０１５  スケジューリング部
３０１７  チャネル状態情報報告制御部
３０５１  復号部
３０５１ａ  デインタリーブ部
３０５１ｂ  変調シンボル数特定部
３０５１ｃ  データ・制御情報分離部
３０５１ｄ  データ復号部
３０５１ｅ  ＣＱＩ復号部
３０５３  復調部
３０５５  多重分離部
３０５７  無線受信部
３０５９  チャネル測定部
３０７１  符号化部
３０７３  変調部
３０７５  多重部
３０７７  無線送信部
３０７９  下りリンク参照信号生成部
【図１】
2015008830.tif 000009
【図２】
2015008830.tif 000010
【図３】
2015008830.tif 000011
【図４】
2015008830.tif 000012
【図５】
2015008830.tif 000013
【図６】
2015008830.tif 000014
【図７】
2015008830.tif 000015
【図８】
2015008830.tif 000016
【図９】
2015008830.tif 000017
【図１０】
2015008830.tif 000018
【図１１】
2015008830.tif 000019
【図１２】
2015008830.tif 000020
【図１３】
2015008830.tif 000021
【図１４】
2015008830.tif 000022
【図１５】
2015008830.tif 000023
【図１６】
2015008830.tif 000024
【図１７】
2015008830.tif 000025
【図１８】
2015008830.tif 000026
【図１９】
2015008830.tif 000027
【図２０】
2015008830.tif 000028
【図２１】
2015008830.tif 000029
【図２２】
2015008830.tif 000030
【国際調査報告】
2015008830.tif 000031
2015008830.tif 000032
2015008830.tif 000033